(57)【要約】  本出願は、データ通信方法、端末、および基地局を提供し、方法は、第1の物理リソースブロックインデックスに基づいて共通情報を端末によって受信ステップであって、ここで、第1の物理リソースブロックインデックスが、周波数領域における第1の帯域幅および/または第1のロケーションに基づいて決定される、ステップと、第2の物理リソースブロックインデックスに基づいて端末固有情報を端末によって送信および/または受信するステップであって、ここで、第2の物理リソースブロックインデックスが、周波数領域における第2の帯域幅および/または第2のロケーションに基づいて決定される、ステップとを含む。本出願では、PRBインデックスは、基地局と端末との間の正しい通信を確実にするように決定される。
2019535186.tif 000002
【特許請求の範囲】
【請求項１】
データ通信方法であって、
第1の物理リソースブロックインデックスに基づいて第1の復調基準信号を端末によって受信するステップであって、前記第1の物理リソースブロックインデックスが、周波数領域における第1のロケーションに基づいて決定され、前記第1の復調基準信号が、システム情報がその上に配置されるデータチャネルを復調するために使用される、ステップと、
第2の物理リソースブロックインデックスに基づいて第2の復調基準信号を前記端末によって送りかつ/または受信するステップであって、前記第2の物理リソースブロックインデックスが、周波数領域における第2のロケーションに基づいて決定され、前記第2の復調基準信号が、前記システム情報がその上に配置される前記データチャネル以外のデータチャネルを復調するために使用される、ステップと
を備える方法。
【請求項２】
前記第1のロケーションが、マスタ情報ブロックを使用することによって示され、前記第2のロケーションが、前記システム情報または無線リソース制御シグナリングを使用することによって示される、請求項1に記載の方法。
【請求項３】
前記第1のロケーションが、前記システム情報がその上に配置されるサブバンドの最低ロケーションである、請求項1または2に記載の方法。
【請求項４】
前記システム情報を受信した後、前記第2の物理リソースブロックインデックスに基づいて前記第2の復調基準信号を前記端末によって送りかつ/または受信するステップ
を備える、請求項1から3のいずれか一項に記載の方法。
【請求項５】
前記システム情報がその上に配置される前記データチャネル以外の前記データチャネルが、端末固有データチャネルを備える、請求項1から4のいずれか一項に記載の方法。
【請求項６】
前記端末固有データチャネルが、アップリンクデータチャネルまたはダウンリンクデータチャネルを備える、請求項5に記載の方法。
【請求項７】
データ通信方法であって、
第1の物理リソースインデックスに基づいて第1の復調基準信号を端末によって受信するステップであって、前記第1の物理リソースブロックインデックスが、周波数領域における第1のロケーションに基づいて決定され、前記第1の復調基準信号が、共通情報をスケジュールするためのダウンリンク制御チャネルを復調するために使用される、ステップと、
第2の物理リソースブロックインデックスに基づいて第2の復調基準信号を前記端末によって受信するステップであって、前記第2の物理リソースブロックインデックスが、周波数領域における第2のロケーションに基づいて決定され、前記第2の復調基準信号が、端末固有情報をスケジュールするためのダウンリンク制御チャネルを復調するために使用される、ステップと
を備える方法。
【請求項８】
前記第1のロケーションが、マスタ情報ブロックを使用することによって示され、前記第2のロケーションが、システム情報または無線リソース制御シグナリングを使用することによって示される、請求項7に記載の方法。
【請求項９】
基地局への接続を確立した後、前記第2の物理リソースブロックインデックスに基づいて前記第2の復調基準信号を前記端末によって受信するステップを備える、請求項7または8に記載の方法。
【請求項１０】
前記共通情報がシステム情報を備える、請求項7から9のいずれか一項に記載の方法。
【請求項１１】
前記第1のロケーションが、システム情報をスケジュールするための制御チャネルの最低ロケーションである、請求項7から10のいずれか一項に記載の方法。
【請求項１２】
データ通信方法であって、
第1の物理リソースブロックインデックスに基づいて第1の復調基準信号を基地局によって送るステップであって、前記第1の物理リソースブロックインデックスが、周波数領域における第1のロケーションに基づいて決定され、前記第1の復調基準信号が、システム情報がその上に配置されるデータチャネルを復調するために使用される、ステップと、
第2の物理リソースブロックインデックスに基づいて第2の復調基準信号を前記基地局によって送りかつ/または受信するステップであって、前記第2の物理リソースブロックインデックスが、周波数領域における第2のロケーションに基づいて決定され、前記第2の復調基準信号が、前記システム情報がその上に配置される前記データチャネル以外のデータチャネルを復調するために使用される、ステップと
を備える方法。
【請求項１３】
前記第1のロケーションが、マスタ情報ブロックを使用することによって示され、前記第2のロケーションが、前記システム情報または無線リソース制御シグナリングを使用することによって示される、請求項12に記載の方法。
【請求項１４】
前記第1のロケーションが、前記システム情報がその上に配置されるサブバンドの最低ロケーションである、請求項12または13に記載の方法。
【請求項１５】
前記システム情報がその上に配置される前記データチャネル以外の前記データチャネルが、端末固有データチャネルを備える、請求項12から14のいずれか一項に記載の方法。
【請求項１６】
前記端末固有データチャネルが、アップリンクデータチャネルまたはダウンリンクデータチャネルを備える、請求項12から14のいずれか一項に記載の方法。
【請求項１７】
データ通信方法であって、
第1の物理リソースブロックインデックスに基づいて第1の復調基準信号を基地局によって送るステップであって、前記第1の物理リソースブロックインデックスが、周波数領域における第1のロケーションに基づいて決定され、前記第1の復調基準信号が、共通情報をスケジュールするためのダウンリンク制御チャネルを復調するために使用される、ステップと、
第2の物理リソースブロックインデックスに基づいて第2の復調基準信号を前記基地局によって送るステップであって、前記第2の物理リソースブロックインデックスが、周波数領域における第2のロケーションに基づいて決定され、前記第2の復調基準信号が、端末固有情報をスケジュールするためのダウンリンク制御チャネルを復調するために使用される、ステップと
を備える方法。
【請求項１８】
前記第1のロケーションが、マスタ情報ブロックを使用することによって示され、前記第2のロケーションが、システム情報または無線リソース制御シグナリングを使用することによって示される、請求項17に記載の方法。
【請求項１９】
前記端末への接続を確立した後、前記第2の物理リソースブロックインデックスに基づいて前記第2の復調基準信号を前記基地局によって送るステップ
を備える、請求項17または18に記載の方法。
【請求項２０】
前記共通情報がシステム情報を備える、請求項17から19のいずれか一項に記載の方法。
【請求項２１】
前記第1のロケーションが、システム情報をスケジュールするための制御チャネルの最低ロケーションである、請求項17から20のいずれか一項に記載の方法。
【請求項２２】
請求項1から11のいずれか一項に記載の各ステップを実行するためのユニットまたは手段を備える装置。
【請求項２３】
請求項12から21のいずれか一項に記載の各ステップを実行するためのユニットまたは手段を備える装置。
【請求項２４】
プロセッサおよびメモリを備える装置であって、
前記メモリが、プログラムを記憶するように構成され、
前記プロセッサが、請求項1から11のいずれか一項に記載の方法を実行するために、前記メモリの中に記憶された前記プログラムを実行するように構成される、
装置。
【請求項２５】
プロセッサおよびメモリを備える装置であって、
前記メモリが、プログラムを記憶するように構成され、
前記プロセッサが、請求項12から21のいずれか一項に記載の方法を実行するために、前記メモリの中に記憶された前記プログラムを実行するように構成される、
装置。
【請求項２６】
請求項22に記載の装置を備える端末。
【請求項２７】
請求項23に記載の装置を備える基地局。
【請求項２８】
データ通信方法であって、
マスタ情報ブロックを端末によって受信するステップであって、前記マスタ情報ブロックが、第1の情報を備え、前記第1の情報が、第1のサブキャリアを示すために使用され、前記第1のサブキャリアが、システム情報がその上に配置されるサブバンドの最低物理リソースブロックの最低サブキャリアである、ステップと、
前記第1のサブキャリアに基づいて第1の物理リソースブロックインデックスを前記端末によって決定するステップと、
前記第1の物理リソースブロックインデックスに基づいて第1の復調基準信号を前記端末によって受信するステップであって、前記第1の復調基準信号が、前記システム情報がその上に配置されるデータチャネルを復調するために使用される、ステップと、
前記システム情報または無線リソース制御シグナリングを前記端末によって受信するステップであって、前記システム情報または前記無線リソース制御シグナリングが、第2の情報を備え、前記第2の情報が、第2のサブキャリアを示すために使用され、前記第2のサブキャリアが、物理リソースブロックの最低サブキャリアである、ステップと、
前記第2のサブキャリアに基づいて第2の物理リソースブロックインデックスを前記端末によって決定するステップと、
前記第2の物理リソースブロックインデックスに基づいて第2の復調基準信号を前記端末によって送りかつ/または受信するステップであって、前記第2の復調基準信号が、前記システム情報がその上に配置される前記データチャネル以外のデータチャネルを復調するために使用される、ステップと
を備える方法。
【請求項２９】
前記システム情報を受信した後、前記第2の物理リソースブロックインデックスに基づいて前記第2の復調基準信号を前記端末によって送りかつ/または受信するステップ
を備える、請求項28に記載の方法。
【請求項３０】
前記第1の情報が、前記第1のサブキャリアの周波数領域ロケーションと同期信号ブロックの周波数領域ロケーションとの間のオフセットを示すために使用され、前記第2の情報が、前記第2のサブキャリアの周波数領域ロケーションと前記同期信号ブロックの前記周波数領域ロケーションとの間のオフセットを示すために使用される、請求項28または29に記載の方法。
【請求項３１】
前記最低サブキャリアがサブキャリア0である、請求項28から30のいずれか一項に記載の方法。
【請求項３２】
前記システム情報がその上に配置される前記データチャネル以外の前記データチャネルが、端末固有データチャネルを備える、請求項28から31のいずれか一項に記載の方法。
【請求項３３】
前記端末固有データチャネルが、アップリンクデータチャネルまたはダウンリンクデータチャネルを備える、請求項32に記載の方法。
【請求項３４】
データ通信方法であって、
マスタ情報ブロックを端末によって受信するステップであって、前記マスタ情報ブロックが、第1の情報を備え、前記第1の情報が、第1のサブキャリアを示すために使用され、前記第1のサブキャリアが、システム情報をスケジュールするための制御チャネルの最低物理リソースブロックの最低サブキャリアであり、前記制御チャネルが、前記システム情報をスケジュールするために使用される、ステップと、
前記第1のサブキャリアに基づいて第1の物理リソースブロックインデックスを前記端末によって決定するステップと、
前記第1の物理リソースブロックインデックスに基づいて第1の復調基準信号を前記端末によって受信するステップであって、前記第1の復調基準信号が、共通情報をスケジュールするためのダウンリンク制御チャネルを復調するために使用される、ステップと、
前記システム情報または無線リソース制御シグナリングを前記端末によって受信するステップであって、前記システム情報または前記無線リソース制御シグナリングが、第2の情報を備え、前記第2の情報が、第2のサブキャリアを示すために使用され、前記第2のサブキャリアが、物理リソースブロックの最低サブキャリアである、ステップと、
前記第2のサブキャリアに基づいて第2の物理リソースブロックインデックスを前記端末によって決定するステップと、
前記第2の物理リソースブロックインデックスに基づいて第2の復調基準信号を前記端末によって受信するステップであって、前記第2の復調基準信号が、端末固有情報をスケジュールするためのダウンリンク制御チャネルを復調するために使用される、ステップと
を備える方法。
【請求項３５】
基地局への接続を確立した後、前記第2の物理リソースブロックインデックスに基づいて前記第2の復調基準信号を前記端末によって受信するステップ
を備える、請求項34に記載の方法。
【請求項３６】
前記第1の情報が、前記第1のサブキャリアの周波数領域ロケーションと同期信号ブロックの周波数領域ロケーションとの間のオフセットを示すために使用され、前記第2の情報が、前記第2のサブキャリアの周波数領域ロケーションと前記同期信号ブロックの前記周波数領域ロケーションとの間のオフセットを示すために使用される、請求項34または35に記載の方法。
【請求項３７】
前記最低サブキャリアがサブキャリア0である、請求項34から36のいずれか一項に記載の方法。
【請求項３８】
前記共通情報が前記システム情報を備える、請求項34から37のいずれか一項に記載の方法。
【請求項３９】
データ通信方法であって、
マスタ情報ブロックを基地局によって送るステップであって、前記マスタ情報ブロックが、第1の情報を備え、前記第1の情報が、第1の物理リソースブロックインデックスを決定するための第1のサブキャリアを示すために使用され、前記第1のサブキャリアが、システム情報がその上に配置されるサブバンドの最低物理リソースブロックの最低サブキャリアである、ステップと、
前記第1の物理リソースブロックインデックスに基づいて第1の復調基準信号を前記基地局によって送るステップであって、前記第1の復調基準信号が、前記システム情報がその上に配置されるデータチャネルを復調するために使用される、ステップと、
前記システム情報または無線リソース制御シグナリングを前記基地局によって送るステップであって、前記システム情報または前記無線リソース制御シグナリングが、第2の情報を備え、前記第2の情報が、第2の物理リソースブロックインデックスを決定するための第2のサブキャリアを示すために使用され、前記第2のサブキャリアが、物理リソースブロックの最低サブキャリアである、ステップと、
前記第2の物理リソースブロックインデックスに基づいて第2の復調基準信号を前記基地局によって送りかつ/または受信するステップであって、前記第2の復調基準信号が、前記システム情報がその上に配置される前記データチャネル以外のデータチャネルを復調するために使用される、ステップと
を備える方法。
【請求項４０】
前記第1の情報が、前記第1のサブキャリアの周波数領域ロケーションと同期信号ブロックの周波数領域ロケーションとの間のオフセットを示すために使用され、前記第2の情報が、前記第2のサブキャリアの周波数領域ロケーションと前記同期信号ブロックの前記周波数領域ロケーションとの間のオフセットを示すために使用される、請求項39に記載の方法。
【請求項４１】
前記最低サブキャリアがサブキャリア0である、請求項39から40のいずれか一項に記載の方法。
【請求項４２】
前記システム情報がその上に配置される前記データチャネル以外の前記データチャネルが、端末固有データチャネルを備える、請求項39から41のいずれか一項に記載の方法。
【請求項４３】
前記端末固有データチャネルが、アップリンクデータチャネルまたはダウンリンクデータチャネルを備える、請求項39から42のいずれか一項に記載の方法。
【請求項４４】
データ通信方法であって、
マスタ情報ブロックを基地局によって送るステップであって、前記マスタ情報ブロックが、第1の情報を備え、前記第1の情報が、第1の物理リソースブロックインデックスを決定するための第1のサブキャリアを示すために使用され、前記第1のサブキャリアが、システム情報をスケジュールするための制御チャネルの最低物理リソースブロックの最低サブキャリアである、ステップと、
前記第1の物理リソースブロックインデックスに基づいて第1の復調基準信号を前記基地局によって送るステップであって、前記第1の復調基準信号が、共通情報をスケジュールするためのダウンリンク制御チャネルを復調するために使用される、ステップと、
前記システム情報または無線リソース制御シグナリングを前記基地局によって送るステップであって、前記システム情報または前記無線リソース制御シグナリングが、第2の情報を備え、前記第2の情報が、第2の物理リソースブロックインデックスを決定するための第2のサブキャリアを示すために使用され、前記第2のサブキャリアが、物理リソースブロックの最低サブキャリアである、ステップと、
前記第2の物理リソースブロックインデックスに基づいて第2の復調基準信号を前記基地局によって送るステップであって、前記第2の復調基準信号が、端末固有情報をスケジュールするためのダウンリンク制御チャネルを復調するために使用される、ステップと
を備える方法。
【請求項４５】
前記端末への接続を確立した後、前記第2の物理リソースブロックインデックスに基づいて前記第2の復調基準信号を前記基地局によって受信するステップ
を備える、請求項44に記載の方法。
【請求項４６】
前記第1の情報が、前記第1のサブキャリアの周波数領域ロケーションと同期信号ブロックの周波数領域ロケーションとの間のオフセットを示すために使用され、前記第2の情報が、前記第2のサブキャリアの周波数領域ロケーションと前記同期信号ブロックの前記周波数領域ロケーションとの間のオフセットを示すために使用される、請求項44または45に記載の方法。
【請求項４７】
前記最低サブキャリアがサブキャリア0である、請求項44から46のいずれか一項に記載の方法。
【請求項４８】
前記共通情報が前記システム情報を備える、請求項44から47のいずれか一項に記載の方法。
【請求項４９】
請求項28から38のいずれか一項に記載の各ステップを実行するためのユニットまたは手段を備える装置。
【請求項５０】
請求項39から48のいずれか一項に記載の各ステップを実行するためのユニットまたは手段を備える装置。
【請求項５１】
プロセッサおよびメモリを備える装置であって、
前記メモリが、プログラムを記憶するように構成され、
前記プロセッサが、請求項28から38のいずれか一項に記載の方法を実行するために、前記メモリの中に記憶された前記プログラムを実行するように構成される、
装置。
【請求項５２】
プロセッサおよびメモリを備える装置であって、
前記メモリが、プログラムを記憶するように構成され、
前記プロセッサが、請求項39から48のいずれか一項に記載の方法を実行するために、前記メモリの中に記憶された前記プログラムを実行するように構成される、
装置。
【請求項５３】
請求項49に記載の装置を備える端末。
【請求項５４】
請求項50に記載の装置を備える基地局。
【請求項５５】
コンピュータ可読記憶媒体であって、前記コンピュータ可読記憶媒体がプログラムを記憶し、前記プログラムがコンピュータ上で実行するとき、前記コンピュータが、請求項1から21および請求項28から48のいずれか一項に記載の方法を実行する、コンピュータ可読記憶媒体。
【請求項５６】
請求項1から21および28から48のいずれか一項に記載の方法を実行するためのプログラムを備えるコンピュータプログラム製品。
【発明の詳細な説明】
【技術分野】
【０００１】
本出願は、2017年8月10日に中国特許庁に出願された「DATA COMMUNICATION METHOD, TERMINAL, AND BASE STATION」と題する中国特許出願第201710682190.3号の優先権を主張し、その全体が参照により本明細書に組み込まれる。
【０００２】
本出願は、通信技術の分野に関し、詳細には、データ通信方法、端末、および基地局に関する。
【背景技術】
【０００３】
ワイヤレス通信システムでは、端末は、通常は物理リソースブロック(Physical Resource Block、PRB)インデックスに基づいて基準信号およびデータチャネル情報を送信および/または受信する。ロングタームエボリューション(Long Term Evolution、LTE)システムでは、同期信号が通常はダウンリンクキャリアの中間の72本のサブキャリア上に配置されるので、端末は、同期信号上でブラインディング検出を実行することによってダウンリンクキャリアの中心ロケーションを決定し得、その結果、PRBインデックスは、(最大)キャリア帯域幅に基づいて決定され得、端末は、PRBインデックスに基づいて基準信号およびデータチャネル情報を送信および/または受信することができる。
【０００４】
しかしながら、ニューラジオ(New Radio、NR)では、同期信号は必ずしもダウンリンクキャリアの中央に配置されるとは限らず、端末はキャリアの中心ロケーションを知ることができず、1本のキャリアが周波数領域における複数の同期信号を含むことがある。したがって、基地局と端末との間の正しい通信を確実にするためにPRBインデックスをどのように決定するのかが、緊急に解決されることを必要とする技術的問題である。
【発明の概要】
【課題を解決するための手段】
【０００５】
本出願の実施形態は、基地局と端末との間の正しい通信を確実にするためのPRBインデックスを決定するように、データ通信方法、端末、および基地局を提供する。
【０００６】
本出願の第1の態様は、
第1の物理リソースブロックインデックスに基づいて共通情報を端末によって受信するステップであって、ここで、第1の物理リソースブロックインデックスが、周波数領域における第1の帯域幅および/または第1のロケーションに基づいて決定される、ステップと、
第2の物理リソースブロックインデックスに基づいて端末固有情報を端末によって送信および/または受信するステップであって、ここで、第2の物理リソースブロックインデックスが、周波数領域における第2の帯域幅および/または第2のロケーションに基づいて決定される、ステップと
を含むデータ通信方法を提供する。
【０００７】
この解決策では、第1のPRBインデックスは、端末と基地局との間に接続が確立される前に使用されるPRBインデックスであるか、または第1のPRBインデックスは、端末がシステム情報ブロック(System Information Block、SIB)を受信する前に使用されるPRBインデックスである。加えて、端末は、基地局によって送られた共通情報を第1のPRBインデックスに基づいて受信し得る。第1のPRBインデックスは、第1の帯域幅のみに基づいて決定され得るか、もしくは第1のロケーションのみに基づいて決定され得るか、または第1の帯域幅および第1のロケーションに基づいて決定され得る。
【０００８】
上記の解決策では、端末は、第1のPRBインデックスに基づいて共通情報を受信し、第2のPRBインデックスに基づいて端末固有情報を送信および/または受信する。第1のPRBインデックスは、周波数領域における第1の帯域幅および/または第1のロケーションに基づいて決定され、第2のPRBインデックスは、周波数領域における第2の帯域幅および/または第2のロケーションに基づいて決定される。端末は、周波数領域における第1の帯域幅および/または第1のロケーションに基づいて第1のPRBインデックスを決定し得、周波数領域における第2の帯域幅および/または第2のロケーションに基づいて第2のPRBインデックスを決定し得、端末は、共通情報を別個に受信し得、異なるPRBインデックスに基づいて端末固有情報を送信および/または受信し得る。したがって、端末は、PRBインデックスを決定することができ、決定されたPRBインデックスに基づいて、基準信号およびデータチャネル情報を基地局へ送信および/または受信することができる。
【０００９】
任意選択で、第1のロケーションは、同期信号ブロックの周波数領域ロケーションであるか、または第1の情報に基づいて決定され、第2のロケーションは、キャリア中心ロケーションであるか、または第2の情報に基づいて決定される。
【００１０】
任意選択で、第1の情報は、マスタ情報ブロックを使用することによって示される。
【００１１】
任意選択で、第2の情報は、マスタ情報ブロック、システム情報ブロック、または無線リソース制御シグナリングを使用することによって示される。
【００１２】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、最大キャリア帯域幅に基づいて決定される。
【００１３】
この解決策では、最小端末帯域幅能力とは、すべての端末の最大帯域幅能力の最小値であり、端末の最大帯域幅能力とは、端末によってサポートされ得る最大帯域幅、詳細には、端末によって同時に送信および/または受信され得るPRBブロックの最大数量である。最大ダウンリンクキャリア帯域幅とは、ダウンリンクキャリアの中に含まれるPRBの最大数量、または基地局によって同時に送られ得るPRBの数量である。
【００１４】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、キャリア帯域幅部分のサイズである。
【００１５】
この解決策では、最大ダウンリンクキャリア帯域幅とは、ダウンリンクキャリアの中に含まれるPRBの最大数量、または基地局によって同時に送られ得るPRBの数量である。最小端末帯域幅能力とは、すべての端末の最大帯域幅能力の最小値であり、端末の最大帯域幅能力とは、端末によってサポートされ得る最大帯域幅、詳細には、端末によって同時に送信および/または受信され得るPRBブロックの最大数量である。
【００１６】
任意選択で、最大キャリア帯域幅は、サブキャリア間隔に基づいて決定される。
【００１７】
任意選択で、共通情報は、以下の情報、すなわち、共通制御情報を復調するための基準信号、共通データチャネル情報を復調するための基準信号、共通制御情報、および共通データチャネル情報の少なくとも1つを含む。
【００１８】
任意選択で、端末固有情報は、以下の情報、すなわち、端末固有制御情報を復調するための基準信号、端末固有データチャネル情報を復調するための基準信号、およびチャネル測定基準信号の少なくとも1つを含む。
【００１９】
任意選択で、方法は、
端末固有データチャネル情報をスケジュールするためのキャリア帯域幅部分を、第2の物理リソースブロックインデックスに基づいて端末によって決定するステップ
をさらに含む。
【００２０】
上記の解決策では、キャリア帯域幅部分(carrier bandwidth part)は、チャネル帯域幅の一部である。キャリア帯域幅部分は、データ通信の間に2レベルリソース割振りの第1のステップにおいて決定される帯域幅であってよく、周波数領域における連続するリソースのセグメントであってよい。
【００２１】
任意選択で、端末固有データチャネル情報をスケジュールするためのキャリア帯域幅部分を、第2の物理リソースブロックインデックスに基づいて端末によって決定した後、方法は、
端末固有データチャネル情報を送信するための物理リソースを、キャリア帯域幅部分内で端末によって送信および/または受信するステップ
をさらに含む。
【００２２】
本出願の第2の態様は、
第1の物理リソースブロックインデックスに基づいて共通情報を基地局によって送るステップであって、ここで、第1の物理リソースブロックインデックスが、周波数領域における第1の帯域幅および/または第1のロケーションに基づいて決定される、ステップと、
第2の物理リソースブロックインデックスに基づいて端末固有情報を基地局によって送信および/または受信するステップであって、ここで、第2の物理リソースブロックインデックスが、周波数領域における第2の帯域幅および/または第2のロケーションに基づいて決定される、ステップと
を含むデータ通信方法を提供する。
【００２３】
この解決策では、第1のPRBインデックスは、端末と基地局との間に接続が確立される前に使用されるPRBインデックスであるか、または第1のPRBインデックスは、端末がSIBを受信する前に使用されるPRBインデックスである。加えて、基地局は、第1のPRBインデックスに基づいて共通情報を端末へ送り得る。第1のPRBインデックスは、第1の帯域幅のみに基づいて決定され得るか、もしくは第1のロケーションのみに基づいて決定され得るか、または第1の帯域幅および第1のロケーションに基づいて決定され得る。
【００２４】
上記の解決策では、基地局は、第1のPRBインデックスに基づいて共通情報を端末へ送り、第2のPRBインデックスに基づいて端末固有情報を送信および/または受信する。第1のPRBインデックスは、周波数領域における第1の帯域幅および/または第1のロケーションに基づいて決定され、第2のPRBインデックスは、周波数領域における第2の帯域幅および/または第2のロケーションに基づいて決定される。基地局は、周波数領域における第1の帯域幅および/または第1のロケーションに基づいて第1のPRBインデックスを決定し得、周波数領域における第2の帯域幅および/または第2のロケーションに基づいて第2のPRBインデックスを決定し得、基地局は、共通情報を別個に送り得、異なるPRBインデックスに基づいて端末固有情報を送信および/または受信し得る。したがって、基地局は、PRBインデックスを決定し得、決定されたPRBインデックスに基づいて、基準信号およびデータチャネル情報を端末へ送信および/または受信し得る。
【００２５】
任意選択で、第1のロケーションは、同期信号ブロックの周波数領域ロケーションであるか、または第1の情報に基づいて決定され、第2のロケーションは、キャリア中心ロケーションであるか、または第2の情報に基づいて決定される。
【００２６】
任意選択で、第1の情報は、マスタ情報ブロックを使用することによって示される。
【００２７】
任意選択で、第2の情報は、マスタ情報ブロック、システム情報ブロック、または無線リソース制御シグナリングを使用することによって示される。
【００２８】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、最大キャリア帯域幅に基づいて決定される。
【００２９】
この解決策では、最小端末帯域幅能力とは、すべての端末の最大帯域幅能力の最小値であり、端末の最大帯域幅能力とは、端末によってサポートされ得る最大帯域幅、詳細には、端末によって同時に送信および/または受信され得るPRBブロックの最大数量である。最大ダウンリンクキャリア帯域幅とは、ダウンリンクキャリアの中に含まれるPRBの最大数量、または基地局によって同時に送られ得るPRBの数量である。
【００３０】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、キャリア帯域幅部分のサイズである。
【００３１】
この解決策では、最大ダウンリンクキャリア帯域幅とは、ダウンリンクキャリアの中に含まれるPRBの最大数量、または基地局によって同時に送られ得るPRBの数量である。最小端末帯域幅能力とは、すべての端末の最大帯域幅能力の最小値であり、端末の最大帯域幅能力とは、端末によってサポートされ得る最大帯域幅、詳細には、端末によって同時に送信および/または受信され得るPRBブロックの最大数量である。
【００３２】
任意選択で、最大キャリア帯域幅は、サブキャリア間隔に基づいて決定される。
【００３３】
任意選択で、共通情報は、以下の情報、すなわち、共通制御情報を復調するための基準信号、共通データチャネル情報を復調するための基準信号、共通制御情報、および共通データチャネル情報の少なくとも1つを含む。
【００３４】
任意選択で、端末固有情報は、以下の情報、すなわち、端末固有制御情報を復調するための基準信号、端末固有データチャネル情報を復調するための基準信号、およびチャネル測定基準信号の少なくとも1つを含む。
【００３５】
任意選択で、方法は、
端末固有データチャネル情報をスケジュールするためのキャリア帯域幅部分を、第2の物理リソースブロックインデックスに基づいて基地局によって決定するステップ
をさらに含む。
【００３６】
任意選択で、端末固有データチャネル情報をスケジュールするためのキャリア帯域幅部分を、第2の物理リソースブロックインデックスに基づいて基地局によって決定した後、方法は、
端末固有データチャネル情報を送信するための物理リソースを、キャリア帯域幅部分内で基地局によって送信および/または受信するステップ
をさらに含む。
【００３７】
本出願の第3の態様は、
第1の物理リソースブロックインデックスに基づいて共通情報を受信するように構成された受信モジュールであって、ここで、第1の物理リソースブロックインデックスが、周波数領域における第1の帯域幅および/または第1のロケーションに基づいて決定される、受信モジュールと、
第2の物理リソースブロックインデックスに基づいて端末固有情報を送信および/または受信するように構成された通信モジュールであって、ここで、第2の物理リソースブロックインデックスが、周波数領域における第2の帯域幅および/または第2のロケーションに基づいて決定される、通信モジュールと
を含む端末を提供する。
【００３８】
任意選択で、第1のロケーションは、同期信号ブロックの周波数領域ロケーションであるか、または第1の情報に基づいて決定され、第2のロケーションは、キャリア中心ロケーションであるか、または第2の情報に基づいて決定される。
【００３９】
任意選択で、第1の情報は、マスタ情報ブロックを使用することによって示される。
【００４０】
任意選択で、第2の情報は、マスタ情報ブロック、システム情報ブロック、または無線リソース制御シグナリングを使用することによって示される。
【００４１】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、最大キャリア帯域幅に基づいて決定される。
【００４２】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、キャリア帯域幅部分のサイズである。
【００４３】
任意選択で、最大キャリア帯域幅は、サブキャリア間隔に基づいて決定される。
【００４４】
任意選択で、共通情報は、以下の情報、すなわち、共通制御情報を復調するための基準信号、共通データチャネル情報を復調するための基準信号、共通制御情報、および共通データチャネル情報の少なくとも1つを含む。
【００４５】
任意選択で、端末固有情報は、以下の情報、すなわち、端末固有制御情報を復調するための基準信号、端末固有データチャネル情報を復調するための基準信号、およびチャネル測定基準信号の少なくとも1つを含む。
【００４６】
任意選択で、装置は、
端末固有データチャネル情報をスケジュールするためのキャリア帯域幅部分を、第2の物理リソースブロックインデックスに基づいて決定するように構成された決定モジュール
をさらに含む。
【００４７】
任意選択で、通信モジュールは、端末固有データチャネル情報を送信するための物理リソースを、キャリア帯域幅部分内で送信および/または受信するようにさらに構成される。
【００４８】
本出願の第4の態様は、
第1の物理リソースブロックインデックスに基づいて共通情報を送るように構成された送信モジュールであって、ここで、第1の物理リソースブロックインデックスが、周波数領域における第1の帯域幅および/または第1のロケーションに基づいて決定される、送信モジュールと、
第2の物理リソースブロックインデックスに基づいて端末固有情報を送信および/または受信するように構成された通信モジュールであって、ここで、第2の物理リソースブロックインデックスが、周波数領域における第2の帯域幅および/または第2のロケーションに基づいて決定される、通信モジュールと
を含む基地局を提供する。
【００４９】
任意選択で、第1のロケーションは、同期信号ブロックの周波数領域ロケーションであるか、または第1の情報に基づいて決定され、第2のロケーションは、キャリア中心ロケーションであるか、または第2の情報に基づいて決定される。
【００５０】
任意選択で、第1の情報は、マスタ情報ブロックを使用することによって示される。
【００５１】
任意選択で、第2の情報は、マスタ情報ブロック、システム情報ブロック、または無線リソース制御シグナリングを使用することによって示される。
【００５２】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、最大キャリア帯域幅に基づいて決定される。
【００５３】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、キャリア帯域幅部分のサイズである。
【００５４】
任意選択で、最大キャリア帯域幅は、サブキャリア間隔に基づいて決定される。
【００５５】
任意選択で、共通情報は、以下の情報、すなわち、共通制御情報を復調するための基準信号、共通データチャネル情報を復調するための基準信号、共通制御情報、および共通データチャネル情報の少なくとも1つを含む。
【００５６】
任意選択で、端末固有情報は、以下の情報、すなわち、端末固有制御情報を復調するための基準信号、端末固有データチャネル情報を復調するための基準信号、およびチャネル測定基準信号の少なくとも1つを含む。
【００５７】
任意選択で、装置は、
端末固有データチャネル情報をスケジュールするためのキャリア帯域幅部分を、第2の物理リソースブロックインデックスに基づいて決定するように構成された決定モジュール
をさらに含む。
【００５８】
任意選択で、通信モジュールは、端末固有データチャネル情報を送信するための物理リソースを、キャリア帯域幅部分内で送信および/または受信するようにさらに構成される。
【００５９】
本出願の実施形態の第5の態様はデータ通信装置を提供し、装置はプロセッサおよびメモリを含む。メモリは、プログラムを記憶するように構成される。プロセッサは、メモリの中に記憶されたプログラムを呼び出して、本出願の第1の態様において提供される方法を実行する。データ通信装置は端末チップであってよい。
【００６０】
本出願の実施形態の第6の態様はデータ通信装置を提供し、装置はプロセッサおよびメモリを含む。メモリは、プログラムを記憶するように構成される。プロセッサは、メモリの中に記憶されたプログラムを呼び出して、本出願の第2の態様において提供される方法を実行する。データ通信装置は基地局チップであってよい。
【００６１】
本出願の実施形態の第7の態様は、第1の態様における方法を実行するための少なくとも1つの処理要素(または、チップ)を含む端末を提供する。
【００６２】
本出願の実施形態の第8の態様は、第2の態様における方法を実行するための少なくとも1つの処理要素(または、チップ)を含む基地局を提供する。
【００６３】
本出願の実施形態の第9の態様はデータ通信プログラムを提供し、プログラムは、第1の態様における方法を実行するためにプロセッサによって実行される。
【００６４】
本出願の実施形態の第10の態様は、プログラム製品、たとえば、第9の態様におけるプログラムを含むコンピュータ可読記憶媒体を提供する。
【００６５】
本出願の実施形態の第11の態様はデータ通信プログラムを提供し、プログラムは、第2の態様における方法を実行するためにプロセッサによって実行される。
【００６６】
本出願の実施形態の第12の態様は、プログラム製品、たとえば、第11の態様におけるプログラムを含むコンピュータ可読記憶媒体を提供する。
【００６７】
本出願において提供されるデータ通信方法、端末、および基地局によれば、端末は、第1のPRBインデックスに基づいて共通情報を受信し、第2のPRBインデックスに基づいて端末固有情報を送信および/または受信する。第1のPRBインデックスは、周波数領域における第1の帯域幅および/または第1のロケーションに基づいて決定され、第2のPRBインデックスは、周波数領域における第2の帯域幅および/または第2のロケーションに基づいて決定される。端末は、周波数領域における第1の帯域幅および/または第1のロケーションに基づいて第1のPRBインデックスを決定し得、周波数領域における第2の帯域幅および/または第2のロケーションに基づいて第2のPRBインデックスを決定し得、端末は、共通情報を別個に受信し得、異なるPRBインデックスに基づいて端末固有情報を送信および/または受信し得る。したがって、端末は、PRBインデックスを決定することができ、決定されたPRBインデックスに基づいて、基準信号およびデータチャネル情報を基地局へ送信および/または受信することができる。
【図面の簡単な説明】
【００６８】
【図１】NRシステムの概略構造図である。
【図２】本出願によるデータ通信方法の実施形態1のシグナリングフローチャートである。
【図３ａ】第1のPRBインデックスを決定する方式の概略図である。
【図３ｂ】第1のPRBインデックスを決定する方式の別の概略図である。
【図４ａ】第1のPRBインデックスを決定する方式のさらに別の概略図である。
【図４ｂ】第1のPRBインデックスを決定する方式のさらに別の概略図である。
【図４ｃ】第1のPRBインデックスを決定する方式のさらに別の概略図である。
【図４ｄ】第1のPRBインデックスを決定する方式のさらに別の図である。
【図５ａ】第1のPRBインデックスを決定する方式のさらに別の概略図である。
【図５ｂ】第1のPRBインデックスを決定する方式のさらに別の概略図である。
【図５ｃ】第1のPRBインデックスを決定する方式のさらに別の概略図である。
【図５ｄ】第1のPRBインデックスを決定する方式のさらに別の概略図である。
【図６ａ】第1のPRBインデックスを決定する方式のさらに別の概略図である。
【図６ｂ】第1のPRBインデックスを決定する方式のさらに別の概略図である。
【図７ａ】第1のPRBインデックスを決定する方式のさらに別の概略図である。
【図７ｂ】第1のPRBインデックスを決定する方式のさらに別の概略図である。
【図８ａ】第1のPRBインデックスを決定する方式のさらに別の概略図である。
【図８ｂ】第1のPRBインデックスを決定する方式のさらに別の概略図である。
【図９】本出願の一実施形態による端末の概略構造図である。
【図１０】本出願の一実施形態による端末の別の概略構造図である。
【図１１】本出願の一実施形態による基地局の概略構造図である。
【図１２】本出願の一実施形態による基地局の別の概略構造図である。
【図１３】本出願の一実施形態による端末のさらに別の概略構造図である。
【図１４】本出願の一実施形態による基地局のさらに別の概略構造図である。
【発明を実施するための形態】
【００６９】
以下は、当業者の理解を容易にするために、本出願におけるいくつかの用語を説明する。
【００７０】
(1)端末は、ユーザ機器(User Equipment、UE)、移動局(mobile station、MS)、モバイル端末(mobile terminal、MT)などとも呼ばれ、音声および/またはデータ接続性をユーザに提供するデバイス、たとえば、ワイヤレス接続機能を有するハンドヘルドデバイスまたは車両内デバイスである。現在、たとえば、いくつかの端末は、モバイルフォン(mobile phone)、タブレットコンピュータ、ノートブックコンピュータ、パームトップコンピュータ、モバイルインターネットデバイス(mobile Internet device、MID)、ウェアラブル端末、仮想現実(virtual reality、VR)デバイス、拡張現実(augmented reality、AR)デバイス、産業用制御装置(industrial control)におけるワイヤレス端末、自動運転(self driving)におけるワイヤレス端末、遠隔医療手術(remote medical surgery)におけるワイヤレス端末、スマートグリッド(smart grid)におけるワイヤレス端末、輸送安全性(transportation safety)におけるワイヤレス端末、スマートシティ(smart city)におけるワイヤレス端末、およびスマートホーム(smart home)におけるワイヤレス端末である。
【００７１】
(2)無線アクセスネットワーク(radio access network、RAN)は、端末がその中でワイヤレスネットワークにアクセスするネットワークの一部である。RANノード(または、デバイス)は、無線アクセスネットワークの中のノード(または、デバイス)であり、基地局またはネットワークデバイスと呼ばれることもある。現在、たとえば、いくつかのRANノードは、gNB、送信受信ポイント(transmission reception point、TRP)、発展型ノードB(evolved NodeB、eNB)、無線ネットワークコントローラ(radio network controller、RNC)、ノードB(NodeB、NB)、基地局コントローラ(base station controller、BSC)、トランシーバ基地局(base transceiver station、BTS)、ホーム基地局(たとえば、home evolved NodeBまたはhome NodeB、HNB)、ベースバンドユニット(base band unit、BBU)、およびWiFiアクセスポイント(access point、AP)である。加えて、ネットワーク構造において、RANは、集中型ユニット(centralized unit、CU)ノードおよび分散型ユニット(distributed unit、DU)ノードを含み得る。
【００７２】
(3)最大キャリア帯域幅とは、キャリアの中に含まれるPRBの最大数量であり、サブキャリア間隔に基づいて決定される。たとえば、6GHzを下回るバンドに対応する最大キャリア帯域幅は100MHzであり、サブキャリア間隔が15kHzであるとき、最大キャリア帯域幅は550個のPRBを含み、サブキャリア間隔が30kHzであるとき、最大キャリア帯域幅は275個のPRBを含み、またはサブキャリア間隔が60kHzであるとき、最大キャリア帯域幅は137個のPRBを含む。6GHzを上回るバンドに対応する最大キャリア帯域幅は400MHzであり、サブキャリア間隔が60kHzであるとき、最大キャリア帯域幅は550個のPRBを含み、またはサブキャリア間隔が120kHzであるとき、最大キャリア帯域幅は275個のPRBを含む。詳細には、最大キャリア帯域幅は最大ダウンリンクキャリア帯域幅であってよい。最大キャリア帯域幅はまた、最大アップリンクキャリア帯域幅であってよい。
【００７３】
(4)「キャリア帯域幅部分(carrier bandwidth part)」は、チャネル帯域幅の一部であり、「帯域幅部分(bandwidth part)」、「動作帯域幅(operating bandwidth)」、または通信帯域幅、ミニBP(mini BP)、BPユニット(BP Unit)、BPサブバンドなどと呼ばれることもあり、BPまたはBWPと略されることがある。キャリア帯域幅部分の名称および略語は、本出願の実施形態において特に限定されない。BWPは、データ通信の間に2レベルリソース割振りの第1のステップにおいて決定される帯域幅であり、周波数領域における連続するかまたは連続しないリソースのセグメントであってよい。たとえば、キャリア帯域幅部分は、K個(K>0)の連続するかもしくは連続しないサブキャリアを含むか、またはキャリア帯域幅部分は、N個(N>0)のオーバーラップしない連続するかもしくは連続しないリソースブロック(Resource Block)がその上に配置される周波数領域リソースであるか、またはキャリア帯域幅部分は、M個(M>0)のオーバーラップしない連続するかもしくは連続しないリソースブロックグループ(Resource Block Group、RBG)がその上に配置される周波数領域リソースであり、1つのRBGがP個(P>0)の連続するRBを含む。キャリア帯域幅部分は、特定のシステムパラメータnumerologyセットに関係し、システムパラメータセットは、サブキャリア間隔およびサイクリックプレフィックス(Cyclic Prefix、CP)のうちの少なくとも1つを含む。
【００７４】
(5)システムパラメータnumerologyは、エアインターフェース(air interface)における一連の物理レイヤパラメータである。特定の実装形態では、任意選択で1つのBWPが1つのnumerologyに対応し得る。numerologyは、サブキャリア間隔、時間単位タイプ、サイクリックプレフィックス(cyclic prefix、CP)タイプなどを含む。一例としてサブキャリア間隔が使用される。端末デバイスがサブキャリア間隔15kHzおよびサブキャリア間隔30kHzをサポートする場合、基地局は、サブキャリア間隔15kHzを有するBWPおよびサブキャリア間隔30kHzを有するBWPを端末デバイスに割り振ってよい。端末デバイスは、異なるシナリオおよびサービス要件に基づいて異なるBWPにハンドオーバされてよく、または2つ以上のBWP上でデータを同時に送信および/もしくは受信し得る。端末デバイスが複数のBWPをサポートするとき、各BWPがそれに対応するnumerologyは同じであるかまたは互いに異なる。
【００７５】
(6)本出願におけるユニットは、機能ユニットまたは論理ユニットである。ユニットはソフトウェアの形態であってよく、ユニットの機能はプロセッサがプログラムコードを実行することによって実施され、またはユニットはハードウェアの形態であってよい。
【００７６】
(7)「複数の」という用語は2つ以上を意味し、別の数量詞と類似である。「および/または」という用語は、関連する対象物を説明するための帰属関係を説明し、3つの関係が存在し得ることを表す。たとえば、Aおよび/またはBは、以下の3つの場合、すなわち、Aのみが存在すること、AとBの両方が存在すること、およびBのみが存在することを表してよい。「/」という文字は、通常、関連する対象物の間の「または(or)」関係を示す。「上回る(above)」、「下回る(below)」などを使用することによって表される範囲は、境界点を含む。
【００７７】
当業者は、本出願の実施形態において提供されるデータ通信方法が、第5世代(5th Generation、5G)ネットワークおよび後続の発展型通信システムに適用されてよく、ユニバーサル移動電気通信システム(Universal Mobile Telecommunications System、UMTS)ネットワークなどの別のワイヤレス通信ネットワーク、または後方互換性のあるLTEネットワークにも適用されてよいことを理解し得る。図1は、NRシステムの概略構造図である。図1に示すように、システムは、端末10およびRAN20を含む。端末10は、たとえばUEであってよく、RAN20は基地局であってよい。図1におけるシステムアーキテクチャでは、ロングタームエボリューション(long term evolution、LTE)システムにおけるeNBのプロトコルレイヤが分離され、いくつかのプロトコルレイヤの機能が中央制御のためにCUノード上に構成され、残りのプロトコルレイヤの一部または全部の機能がDUノードの中に分散され、CUノードが集中方式でDUノードを制御する。
【００７８】
図1におけるシステムアーキテクチャに基づくと、NRでは、同期信号は必ずしもダウンリンクキャリアの中央に配置されるとは限らず、端末はキャリアの中心ロケーションを知ることができず、1本のキャリアが周波数領域における複数の同期信号を含むことがある。したがって、端末は、PRBインデックスを決定することができず、したがって、基準信号またはデータチャネル情報を基地局へ送信および/または受信することができない。
【００７９】
これらの場合に照らして、本出願の実施形態はデータ通信方法を提供する。端末は、基地局によって送られた共通情報を第1のPRBインデックスに基づいて受信し、第2のPRBインデックスに基づいて端末固有情報を送信および/または受信する。第1のPRBインデックスは、周波数領域における第1の帯域幅および/または第1のロケーションに基づいて決定され、第2のPRBインデックスは、周波数領域における第2の帯域幅および/または第2のロケーションに基づいて決定される。端末は、周波数領域における第1の帯域幅および/または第1のロケーションに基づいて第1のPRBインデックスを決定し得、周波数領域における第2の帯域幅および/または第2のロケーションに基づいて第2のPRBインデックスを決定し得、端末は、共通情報を別個に受信し得、異なるPRBインデックスに基づいて端末固有情報を送信および/または受信し得る。したがって、端末は、PRBインデックスを決定することができ、決定されたPRBインデックスに基づいて、基準信号およびデータチャネル情報を基地局へ送信および/または受信することができる。
【００８０】
図2は、本出願によるデータ通信方法の実施形態1のシグナリングフローチャートである。図1に示すシステムアーキテクチャに基づくと、図2に示すように、この実施形態における方法は以下のステップを含み得る。
【００８１】
ステップ201:端末は、第1のPRBインデックスに基づいて共通情報を受信し、ここで、第1のPRBインデックスは、周波数領域における第1の帯域幅および/または第1のロケーションに基づいて決定される。
【００８２】
任意選択で、異なるサブキャリア間隔が、それぞれの第1のPRBインデックスに対応する。
【００８３】
詳細には、第1のPRBインデックスは、端末と基地局との間に接続が確立される前に使用されるPRBインデックスであるか、または第1のPRBインデックスは、端末がSIBを受信する前に使用されるPRBインデックスである。
【００８４】
この実施形態では、端末は、基地局によって送られた共通情報を第1のPRBインデックスに基づいて受信し得る。第1のPRBインデックスは、第1の帯域幅のみに基づいて決定され得るか、もしくは第1のロケーションのみに基づいて決定され得るか、または第1の帯域幅および第1のロケーションに基づいて決定され得る。
【００８５】
第1の帯域幅は、最大ダウンリンクキャリア帯域幅に基づいて決定され得るか、もしくは最小端末帯域幅能力よりも大きくなくてよく、または最小端末帯域幅能力に基づいて決定され得る。任意選択で、第1の帯域幅は、最大ダウンリンクキャリア帯域幅の正の整数倍である。最大ダウンリンクキャリア帯域幅は、ダウンリンクキャリアの中に含まれるPRBの最大数量、または基地局によって同時に送られ得るPRBの数量である。任意選択で、最大ダウンリンクキャリア帯域幅は、第1のPRBインデックスに対応するサブキャリア間隔に基づいて決定される。最小端末帯域幅能力とは、すべての端末の最大帯域幅能力の最小値であり、端末の最大帯域幅能力とは、端末によってサポートされ得る最大帯域幅、詳細には、端末によって同時に送信および/または受信され得るPRBブロックの最大数量である。
【００８６】
第1のロケーションは、同期信号ブロックの周波数領域ロケーションであるか、または第1の情報に基づいて決定される。同期信号ブロックの周波数領域ロケーションは、同期信号ブロックの最低PRB(中心PRBまたは最高PRB)のロケーション、またはPRBのサブキャリア0、サブキャリア5、サブキャリア6、およびサブキャリア11のうちの1つのロケーション、もしくはPRBのサブキャリア0、サブキャリア5、サブキャリア6、およびサブキャリア11のうちの1つから1/2サブキャリア間隔のシフトにおけるロケーションである。詳細には、同期信号ブロックがK=2K'個のPRBを含むとき、中心PRBは、(K'-1)番目のPRBもしくはK'番目のPRBであり、または同期信号ブロックがK=2K'+1個のPRBを含むとき、中心PRBは、K'番目のPRBである。加えて、第1のロケーションは、代替として、第1の情報に基づいて決定されてよい。第1のロケーションは、PRBのロケーション、またはPRBのサブキャリア0、サブキャリア5、サブキャリア6、およびサブキャリア11のうちの1つのロケーション、もしくはPRBのサブキャリア0、サブキャリア5、サブキャリア6、およびサブキャリア11のうちの1つから1/2サブキャリア間隔のシフトにおけるロケーションであってよい。実際の適用例では、基地局は、第1のロケーションを構成するための第1の情報をいくつかのブロードキャストシグナリングに追加してよく、ブロードキャストシグナリングを端末へ送ってよい。詳細には、第1の情報は、マスタ情報ブロックを使用することによって示され得る。任意選択で、第1の情報は、第1のロケーションと周波数領域基準ロケーションとの間の第1のオフセットを示し、周波数領域基準ロケーションは、同期信号ブロックの周波数領域ロケーションであってよい。
【００８７】
以下は、第1のPRBインデックスを決定する方式を詳細に説明する。
【００８８】
第1の可能な実施形態が以下で提供される。
【００８９】
任意選択で、図3aは、第1のPRBインデックスを決定する方式の概略図である。図3aに示すように、第1のPRBインデックス{0,1,...,M-1}は、共通ダウンリンクPRBインデックスである。インデックス0に対応するPRBは、周波数領域における第1のロケーション、および第1の帯域幅に基づいて決定され得、このことに基づいて、最大インデックスに対応するPRBは、第1の帯域幅に基づいて決定され得る。第1のロケーションは、同期信号ブロックの周波数領域ロケーションであり、第1の帯域幅は、最大ダウンリンクキャリア帯域幅に基づいて決定される。任意選択で、第1の帯域幅は、最大ダウンリンクキャリア帯域幅の正の整数倍である。たとえば、第1の帯域幅は、最大ダウンリンクキャリア帯域幅の2倍である。
【００９０】
任意選択で、図3bは、第1のPRBインデックスを決定する方式の別の概略図である。図3bに示すように、第1のPRBインデックス{0,1,...,M-1}は、共通ダウンリンクPRBインデックスである。インデックス0に対応するPRBは、周波数領域における第1のロケーションに基づいて決定され得、このことに基づいて、最大インデックスに対応するPRBは、第1の帯域幅に基づいて決定され得る。第1のロケーションは、同期信号ブロックの周波数領域ロケーションであり、第1の帯域幅は、最大ダウンリンクキャリア帯域幅に基づいて決定される。任意選択で、第1の帯域幅は、最大ダウンリンクキャリア帯域幅の正の整数倍である。たとえば、第1の帯域幅は、最大ダウンリンクキャリア帯域幅の2倍である。
【００９１】
図3aおよび図3bに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から右に番号付けされ、次いで、左から番号付けされる。第1のPRBインデックスにおけるPRBが別の方式で番号付けされるとき、第1のPRBインデックスを決定する方式は、図3aおよび図3bに示す決定方式と類似であり、詳細は本明細書で再び説明しない。
【００９２】
任意選択で、端末は、SIBがその上に配置されるサブバンドリソースおよび/またはSIBをスケジュールするためのPDCCHリソース、すなわち、図3aおよび図3bに示す共通帯域幅リソースを第1のPRBインデックスに基づいて決定し得る。端末は、同期信号ラスタ(raster)に基づいて同期信号ブロック上でブラインド検出を実行し、同期信号ブロックは、1次同期信号、2次同期信号、および物理ブロードキャストチャネル(Physical Broadcast Channel、PBCH)を含む。端末は、SIBがその上に配置されるサブバンドリソースを、PBCH上で搬送されるマスタ情報ブロック(Master Information Block、MIB)に基づいて決定する。サブバンドリソースは、サブバンドの周波数領域ロケーションおよび帯域幅を含むか、またはサブバンドの周波数領域ロケーションのみを含む。サブバンドの周波数領域ロケーションの定義は、同期信号ブロックの周波数領域ロケーションの定義と同じであり、詳細は本明細書で再び説明しない。代替として、端末は、SIBをスケジュールするための物理ダウンリンク制御チャネル(Physical Downlink Control Channel、PDCCH)リソースを、PBCH上で搬送されるMIBに基づいて決定する。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、同期信号ブロックの周波数領域ロケーションの定義と同じであり、詳細は本明細書で再び説明しない。次いで、端末は、SIBがその上に配置されるサブバンドリソースを、PDCCHリソース、またはPDCCH上で搬送されるダウンリンク制御情報(Downlink Control Information、DCI)に基づいて決定する。
【００９３】
詳細には、第1のPRBインデックスが第1の仮想帯域幅内にあることが指定され、第1の仮想帯域幅は、同期信号ブロックの周波数領域ロケーション、および最大キャリア帯域幅に基づいて決定される。任意選択で、第1の仮想帯域幅は、同期信号ブロックの中心PRBのロケーション、またはPRBのサブキャリア0、サブキャリア5、サブキャリア6、およびサブキャリア11のうちの1つのロケーション、もしくはそのサブキャリアから1/2サブキャリア間隔のシフトにおけるロケーションに位置合わせされる。第1の仮想帯域幅は、第1の最大仮想帯域幅、第1の公称帯域幅、または第1の最大公称帯域幅と呼ばれることもあり、このことは本出願において限定されない。
【００９４】
任意選択で、第1のPRBインデックスに基づいて、端末は、共通ダウンリンク制御チャネルを復調するためのDMRS、共通ダウンリンク制御チャネル、共通ダウンリンクデータチャネルを復調するためのDMRS、共通ダウンリンクデータチャネル、端末固有制御チャネルを復調するためのDMRS、端末固有制御チャネル、端末固有データチャネルを復調するためのDMRS、および端末固有データチャネルのうちの少なくとも1つを、SIBがその上に配置されるサブバンド上でさらに受信し得る。データチャネルは共有チャネルであり、共通ダウンリンクデータチャネルは、共通ダウンリンク制御情報を使用することによってスケジュールされた少なくともダウンリンクデータチャネルを含み、共通ダウンリンクデータチャネルは、SIBに対応する少なくとも共通ダウンリンクデータチャネルを含み、端末固有ダウンリンクデータチャネルは、端末ダウンリンク制御情報を使用することによってスケジュールされた少なくともダウンリンクデータチャネルを含む。任意選択で、端末は、SIBに対応する共通ダウンリンクデータチャネルをスケジュールするための少なくとも共通ダウンリンク制御情報を含む共通ダウンリンク制御情報、および/または端末固有ダウンリンクデータチャネルをスケジュールするための端末固有ダウンリンク制御情報を、第1のPRBインデックスに基づいてPDCCHリソース上でさらに受信し得る。
【００９５】
詳細には、基地局は、第1のPRBインデックスに基づいてダウンリンク基準信号のシーケンスを決定し得、基地局は、ダウンリンク基準信号のシーケンスの一部または全部を少なくとも1つのリソース要素(Resource Element、RE)にマッピングし、基地局は、少なくとも1つのRE上でダウンリンク基準信号を送る。ダウンリンク基準信号はDMRSであってよく、DMRSは、以下のチャネル、すなわち、SIBに対応する少なくとも共通ダウンリンクデータチャネルを含む共通ダウンリンクデータチャネル、SIBに対応する共通ダウンリンクデータチャネルをスケジュールするための少なくとも共通ダウンリンク制御チャネルを含む共通ダウンリンク制御チャネル、端末固有ダウンリンク制御チャネル、および端末固有ダウンリンクデータチャネルのうちの少なくとも1つを復調するために使用され得る。
【００９６】
本出願のこの実施形態では、説明のための一例として、基地局がDMRSシーケンスを決定するとともにシーケンスの一部または全部をREにマッピングすることが使用される。別の基準信号のシーケンスを決定する方式は、DMRSシーケンスを決定する方式と類似であり、詳細は本明細書で説明しない。任意選択で、別の基準信号は、チャネル状態情報基準信号(Channel State Information Reference Signal、CSI-RS)または位相追跡基準信号(Phase-tracking Reference Signal、PT-RS)を含む。
【００９７】
可能な実装形態では、DMRSシーケンスは、第1のPRBインデックスを使用することによって定義される。詳細には、DMRSシーケンスは式(1)に従って生成され得る。
【００９８】
【数１】
2019535186.tif 000003
【００９９】
本式において、r(m)はDMRSシーケンスであり、c(m)は擬似シーケンスであり、Mは最大ダウンリンクキャリア帯域幅に基づいて決定され、Aは正の整数であり、周波数領域における第1の周波数領域単位および時間領域における第1の時間単位での、DMRSを送信するために使用されるREの数量を表す。第1の周波数領域単位は12K本のサブキャリアを含み、Kは正の整数であり、第1の時間単位は、シンボル、シンボルグループ、タイムスロット、タイムスロットグループ、サブフレームなどであってよい。この実施形態において第1の時間単位の特定の内容は限定されない。任意選択で、基準信号のシーケンスがサブフレーム内にあることが指定されるとき、Aは、基準信号がその上に配置されるサブバンドに対応するシステムパラメータセットに基づいて決定され得、システムパラメータセットは、サブキャリア間隔および/またはCPタイプを含む。任意選択で、DMRSが、SIBに対応するダウンリンクデータチャネル、および/または端末固有ダウンリンク制御チャネルをスケジュールするための、少なくともPDCCHを復調するために使用されるとき、Aは、時間領域におけるPDCCHリソースの中に含まれるシンボルの数量に基づいて決定される。
【０１００】
図3aおよび図3bに示すように、生成されたDMRSシーケンスがREにマッピングされるとき、サブバンド上の各PRBの、第1のPRBインデックスに対応する個数は、送信および/または受信される基準信号を決定するように、サブバンドの周波数領域ロケーションに基づいて決定され得る。詳細には、DMRSシーケンスは式(2)に従ってマッピングされ得る。
【０１０１】
【数２】
2019535186.tif 000004
【０１０２】
本式において、F1(・)は事前定義関数であり、kは周波数領域におけるサブキャリアのインデックスであり、lは時間領域におけるシンボルのインデックスであり、pはアンテナポート番号であり、
【０１０３】
【数３】
2019535186.tif 000005
【０１０４】
は、RE(k,l)上のアンテナポート番号pに対応する複素数値変調シンボルであり、nCPRBは、サブバンド上のPRBの、第1のPRBインデックスに対応する個数であり、Bは正の整数であり、周波数領域における第2の周波数領域単位および時間領域における第2の時間単位での、DMRSを送信するために使用されるREの数量を表す。第2の周波数領域単位は12L本のサブキャリアを含み、Lは正の整数であり、第2の時間単位は、シンボル、シンボルグループ、タイムスロット、タイムスロットグループ、サブキャリアなどであってよい。この実施形態において第2の時間単位の特定の内容は限定されない。任意選択で、基準信号のシーケンスがサブフレーム内にあることが指定されるとき、Bは、DMRSがその上に配置されるサブバンドに対応するシステムパラメータセットに基づいて決定され、システムパラメータセットは、サブキャリア間隔および/またはCPタイプを含む。
【０１０５】
同様に、端末は、送信および/または受信される基準信号を決定するように、PDCCHリソース上の各PRBの、第1のPRBインデックスに対応する個数を、PDCCHリソースの周波数領域ロケーションに基づいて決定し得る。詳細には、DMRSシーケンスは式(3)に従ってマッピングされ得る。
【０１０６】
【数４】
2019535186.tif 000006
【０１０７】
本式において、F2(・)は事前定義関数であり、nCCEはPDCCHリソース上のCCEの個数であり、その個数は、時間領域におけるCCEに対応するシンボルインデックスおよび/または周波数領域におけるCCEに対応するPRBインデックスに基づいて決定される。任意選択で、Bは、時間領域におけるPDCCHリソースの中に含まれるシンボルの数量に基づいて決定される。
【０１０８】
この実施形態では、キャリア上の同期信号ブロックのキャリア帯域幅またはロケーションを知ることなく、端末は、以下のチャネル、すなわち、SIBに対応する少なくとも共通ダウンリンクデータチャネルを含む共通ダウンリンクデータチャネル、SIBに対応する共通ダウンリンクデータチャネルをスケジュールするための少なくとも共通ダウンリンク制御チャネルを含む共通ダウンリンク制御チャネル、端末固有ダウンリンク制御チャネル、および端末固有ダウンリンクデータチャネルのうちの少なくとも1つを、第1のPRBインデックスに基づいて正しく受信し得る。
【０１０９】
第2の可能な実施形態が以下で提供される。
【０１１０】
任意選択で、図4aは、第1のPRBインデックスを決定する方式のさらに別の概略図である。図4aに示すように、第1のPRBインデックス{0,1,...,P-1}は、共通ダウンリンクPRBインデックスである。インデックス0に対応するPRBは、周波数領域における第1のロケーションに基づいて決定され得、このことに基づいて、最大インデックスに対応するPRBは、第1の帯域幅に基づいて決定され得る。第1のロケーションは、同期信号ブロックの周波数領域ロケーションであり、第1の帯域幅は、最小端末帯域幅能力よりも大きくない。
【０１１１】
任意選択で、図4bは、第1のPRBインデックスを決定する方式のさらに別の概略図である。図4bに示すように、第1のPRBインデックス{0,1,...,P-1}は、共通ダウンリンクPRBインデックスである。インデックス0に対応するPRBは、周波数領域における第1のロケーション、および第1の帯域幅に基づいて決定され得、このことに基づいて、最大インデックスに対応するPRBは、第1の帯域幅に基づいて決定され得る。第1のロケーションは、同期信号ブロックの周波数領域ロケーションであり、第1の帯域幅は、最小端末帯域幅能力よりも大きくない。
【０１１２】
任意選択で、図4cは、第1のPRBインデックスを決定する方式のさらに別の概略図である。図4cに示すように、第1のPRBインデックス{0,1,...,P-1}は、共通ダウンリンクPRBインデックスである。インデックス0に対応するPRBは、周波数領域における第1のロケーションに基づいて決定され得、このことに基づいて、最大インデックスに対応するPRBは、第1の帯域幅に基づいて決定され得る。第1のロケーションは、第1の情報に基づいて決定され、第1の帯域幅は、最小端末帯域幅能力よりも大きくない。
【０１１３】
任意選択で、図4dは、第1のPRBインデックスを決定する方式のさらに別の概略図である。図4dに示すように、第1のPRBインデックス{0,1,...,P-1}は、共通ダウンリンクPRBインデックスである。インデックス0に対応するPRBは、周波数領域における第1のロケーション、および第1の帯域幅に基づいて決定され得、このことに基づいて、最大インデックスに対応するPRBは、第1の帯域幅に基づいて決定され得る。第1のロケーションは、第1の情報に基づいて決定され、第1の帯域幅は、最小端末帯域幅能力よりも大きくない。
【０１１４】
図4a〜図4dに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から番号付けされる。第1のPRBインデックスにおけるPRBが別の方式で番号付けされるとき、第1のPRBインデックスを決定する方式は、図4a〜図4dに示す決定方式と類似であり、詳細は本明細書で再び説明しない。
【０１１５】
任意選択で、端末は、SIBがその上に配置されるサブバンドリソースおよび/またはSIBをスケジュールするためのPDCCHリソース、すなわち、図4a〜図4dに示す共通帯域幅リソースを第1のPRBインデックスに基づいて決定し得る。端末は、同期信号ラスタ(raster)に基づいて同期信号ブロック上でブラインド検出を実行し、同期信号ブロックは、1次同期信号、2次同期信号、およびPBCHを含む。端末は、SIBがその上に配置されるサブバンドリソースをPBCH上で搬送されるMIBに基づいて決定する。サブバンドリソースは、サブバンドの周波数領域ロケーションおよび帯域幅を含むか、またはサブバンドの周波数領域ロケーションのみを含む。サブバンドの周波数領域ロケーションの定義は、同期信号ブロックの周波数領域ロケーションの定義と同じであり、詳細は本明細書で再び説明しない。代替として、端末は、SIBをスケジュールするためのPDCCHリソースをPBCH上で搬送されるMIBに基づいて決定する。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、同期信号ブロックの周波数領域ロケーションの定義と同じであり、詳細は本明細書で再び説明しない。次いで、端末は、SIBがその上に配置されるサブバンドリソースを、PDCCH上で搬送されるPDCCHリソースまたはDCIに基づいて決定する。
【０１１６】
任意選択で、第1のPRBインデックスに基づいて、端末は、共通ダウンリンク制御チャネルを復調するためのDMRS、共通ダウンリンク制御チャネル、共通ダウンリンクデータチャネルを復調するためのDMRS、共通ダウンリンクデータチャネル、端末固有制御チャネルを復調するためのDMRS、端末固有制御チャネル、端末固有データチャネルを復調するためのDMRS、および端末固有データチャネルのうちの少なくとも1つを、SIBがその上に配置されるサブバンド上で受信する。データチャネルは共有チャネルであり、共通ダウンリンクデータチャネルは、共通ダウンリンク制御情報を使用することによってスケジュールされた少なくともダウンリンクデータチャネルを含み、共通ダウンリンクデータチャネルは、SIBに対応する少なくとも共通ダウンリンクデータチャネルを含み、端末固有ダウンリンクデータチャネルは、端末ダウンリンク制御情報を使用することによってスケジュールされた少なくともダウンリンクデータチャネルを含む。任意選択で、端末は、SIBに対応する共通ダウンリンクデータチャネルをスケジュールするための少なくとも共通ダウンリンク制御情報を含む共通ダウンリンク制御情報、および/または端末固有ダウンリンクデータチャネルをスケジュールするための端末固有ダウンリンク制御情報を、第1のPRBインデックスに基づいてPDCCHリソース上でさらに受信し得る。アクセスを完了する前に端末が帯域幅能力を報告しないので、すべての端末がSIBおよび/またはPDCCHを正しく受信できることを確実にするために、サブバンドの帯域幅および/またはPDCCHリソースの帯域幅は最小端末帯域幅能力を越えない。したがって、第1の帯域幅は、最小端末帯域幅能力よりも大きくない。
【０１１７】
詳細には、第1のPRBインデックスは共通帯域幅内にあり、共通帯域幅は、同期信号ブロックの周波数領域ロケーションまたは基地局によって示される周波数領域ロケーション、および事前定義された帯域幅または基地局によって示される帯域幅に基づいて決定される。
【０１１８】
詳細には、基地局は、第1のPRBインデックスに基づいてダウンリンク基準信号のシーケンスを決定し得、基地局は、ダウンリンク基準信号のシーケンスの一部または全部を少なくとも1つのREにマッピングし、基地局は、少なくとも1つのRE上でダウンリンク基準信号を送る。ダウンリンク基準信号はDMRSであってよく、DMRSは、以下のチャネル、すなわち、SIBに対応する少なくとも共通ダウンリンクデータチャネルを含む共通ダウンリンクデータチャネル、SIBに対応する共通ダウンリンクデータチャネルをスケジュールするための少なくとも共通ダウンリンク制御チャネルを含む共通ダウンリンク制御チャネル、端末固有ダウンリンク制御チャネル、および端末固有ダウンリンクデータチャネルのうちの少なくとも1つを復調するために使用され得る。
【０１１９】
本出願のこの実施形態では、説明のための一例として、基地局がDMRSシーケンスを決定するとともにシーケンスの一部または全部をREにマッピングすることが使用される。別の基準信号のシーケンスを決定する方式は、DMRSシーケンスを決定する方式と類似であり、詳細は本明細書で説明しない。任意選択で、別の基準信号はCSI-RSおよび/またはPT-RSを含む。
【０１２０】
可能な実装形態では、DMRSシーケンスは、第1のPRBインデックスを使用することによって定義される。詳細には、DMRSシーケンスは式(4)に従って生成され得る。
【０１２１】
【数５】
2019535186.tif 000007
【０１２２】
本式において、r(m)はDMRSシーケンスであり、c(m)は擬似シーケンスであり、Pは、サブバンドの中に含まれるRBの数量、または周波数領域におけるPDCCHリソースに対応するRBの数量であり、Pは、すべての端末の最大ダウンリンク帯域幅能力の最小値
【０１２３】
【数６】
2019535186.tif 000008
【０１２４】
よりも大きくなく、また事前定義されてよく、Aは、周波数領域における第1の周波数領域単位および時間領域における第1の時間単位での、DMRSを送信するために使用されるREの数量を表す。第1の周波数領域単位は12K本のサブキャリアを含み、Kは正の整数であり、第1の時間単位は、シンボル、シンボルグループ、タイムスロット、タイムスロットグループ、サブフレームなどであってよい。この実施形態において第1の時間単位の特定の内容は限定されない。任意選択で、基準信号のシーケンスがサブフレーム内にあることが指定されるとき、Aは、基準信号がその上に配置されるサブバンドに対応するシステムパラメータセットに基づいて決定され得、システムパラメータセットは、サブキャリア間隔および/またはCPタイプを含む。任意選択で、DMRSが、SIBに対応する共通ダウンリンクデータチャネルをスケジュールするための少なくとも共通ダウンリンク制御チャネルを含む共通ダウンリンク制御チャネル、および/または端末固有ダウンリンク制御チャネルを復調するために使用されるとき、Aは、時間領域におけるPDCCHリソースの中に含まれるシンボルの数量に基づいて決定される。
【０１２５】
DMRSシーケンスが生成された後、DMRSシーケンスは式(5)に従ってREにマッピングされ得る。
【０１２６】
【数７】
2019535186.tif 000009
【０１２７】
本式において、G1(・)は事前定義関数であり、kは周波数領域におけるサブキャリアのインデックスであり、lは時間領域におけるシンボルのインデックスであり、pはアンテナポート番号であり、
【０１２８】
【数８】
2019535186.tif 000010
【０１２９】
は、RE(k,l)上のアンテナポート番号pに対応する複素数値変調シンボルであり、Bは、周波数領域における第2の周波数領域単位および時間領域における第2の時間単位での、DMRSを送信するために使用されるReの数量を表す。第2の周波数領域単位は12L本のサブキャリアを含み、Lは正の整数であり、第2の時間単位は、シンボル、シンボルグループ、タイムスロット、タイムスロットグループ、サブキャリアなどであってよい。この実施形態において第2の時間単位の特定の内容は限定されない。任意選択で、基準信号のシーケンスがサブフレーム内にあることが指定されるとき、Bは、DMRSがその上に配置されるサブバンドに対応するシステムパラメータセットに基づいて決定され、システムパラメータセットは、サブキャリア間隔および/またはCPタイプを含む。任意選択で、Bは、時間領域におけるPDCCHリソースの中に含まれるシンボルの数量に基づいて決定される。
【０１３０】
この実施形態では、キャリア上の同期信号ブロックのキャリア帯域幅またはロケーションを知ることなく、端末は、以下のチャネル、すなわち、SIBに対応する少なくとも共通ダウンリンクデータチャネルを含む共通ダウンリンクデータチャネル、SIBに対応する共通ダウンリンクデータチャネルをスケジュールするための少なくとも共通ダウンリンク制御チャネルを含む共通ダウンリンク制御チャネル、端末固有ダウンリンク制御チャネル、および端末固有ダウンリンクデータチャネルのうちの少なくとも1つを、第1のPRBインデックスに基づいて正しく受信し得る。加えて、SIBに対応する少なくとも共通ダウンリンクデータチャネルを含む共通ダウンリンクデータチャネル、および/または端末固有ダウンリンク制御チャネルは、DCIのサイズを低減するとともに通信ロバストネスを改善するように、最小端末帯域幅能力よりも大きくない共通帯域幅の中に制限される。
【０１３１】
第3の可能な実施形態が以下で提供される。
【０１３２】
任意選択で、図5aは、第1のPRBインデックスを決定する方式のさらに別の概略図である。図5aに示すように、第1のPRBインデックス{0,1,...,Q-1}は、共通ダウンリンクPRBインデックスである。インデックス0に対応するPRBは、周波数領域における第1のロケーションに基づいて決定され得、このことに基づいて、最大インデックスに対応するPRBは、第1の帯域幅に基づいて決定され得る。第1のロケーションは、同期信号ブロックの周波数領域ロケーションであり、第1の帯域幅は、最小端末帯域幅能力に基づいて決定される。任意選択で、第1の帯域幅は最小端末帯域幅能力である。
【０１３３】
任意選択で、図5bは、第1のPRBインデックスを決定する方式のさらに別の概略図である。図5bに示すように、第1のPRBインデックス{0,1,...,Q-1}は、共通ダウンリンクPRBインデックスである。インデックス0に対応するPRBは、周波数領域における第1のロケーション、および第1の帯域幅に基づいて決定され得、このことに基づいて、最大インデックスに対応するPRBは、第1の帯域幅に基づいて決定され得る。第1のロケーションは、同期信号ブロックの周波数領域ロケーションであり、第1の帯域幅は、最小端末帯域幅能力に基づいて決定される。任意選択で、第1の帯域幅は最小端末帯域幅能力である。
【０１３４】
任意選択で、図5cは、第1のPRBインデックスを決定する方式のさらに別の概略図である。図5cに示すように、第1のPRBインデックス{0,1,...,Q-1}は、共通ダウンリンクPRBインデックスである。インデックス0に対応するPRBは、周波数領域における第1のロケーションに基づいて決定され得、このことに基づいて、最大インデックスに対応するPRBは、第1の帯域幅に基づいて決定され得る。第1のロケーションは、第1の情報に基づいて決定され、第1の帯域幅は、最小端末帯域幅能力に基づいて決定される。任意選択で、第1の帯域幅は最小端末帯域幅能力である。
【０１３５】
任意選択で、図5dは、第1のPRBインデックスを決定する方式のさらに別の概略図である。図5dに示すように、第1のPRBインデックス{0,1,...,Q-1}は、共通ダウンリンクPRBインデックスである。インデックス0に対応するPRBは、周波数領域における第1のロケーション、および第1の帯域幅に基づいて決定され得、このことに基づいて、最大インデックスに対応するPRBは、第1の帯域幅に基づいて決定され得る。第1のロケーションは、第1の情報に基づいて決定され、第1の帯域幅は、最小端末帯域幅能力に基づいて決定される。任意選択で、第1の帯域幅は最小端末帯域幅能力である。
【０１３６】
図5aおよび図5dに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から右に番号付けされ、次いで、左から番号付けされる。第1のPRBインデックスにおけるPRBが別の方式で番号付けされるとき、第1のPRBインデックスを決定する方式は、図5aおよび図5dに示す決定方式と類似であり、詳細は本明細書で再び説明しない。
【０１３７】
任意選択で、端末は、SIBがその上に配置されるサブバンドリソースおよび/またはSIBをスケジュールするためのPDCCHリソース、すなわち、図5a〜図5dに示す共通帯域幅リソースを第1のPRBインデックスに基づいて決定し得る。端末は、同期信号ラスタ(raster)に基づいて同期信号ブロック上でブラインド検出を実行し、同期信号ブロックは、1次同期信号、2次同期信号、およびPBCHを含む。端末は、SIBがその上に配置されるサブバンドリソースをPBCH上で搬送されるMIBに基づいて決定する。サブバンドリソースは、サブバンドの周波数領域ロケーションおよび帯域幅を含むか、またはサブバンドの周波数領域ロケーションのみを含む。サブバンドの周波数領域ロケーションの定義は、同期信号ブロックの周波数領域ロケーションの定義と同じであり、詳細は本明細書で再び説明しない。代替として、端末は、SIBをスケジュールするためのPDCCHリソースをPBCH上で搬送されるMIBに基づいて決定する。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、同期信号ブロックの周波数領域ロケーションの定義と同じであり、詳細は本明細書で再び説明しない。次いで、端末は、SIBがその上に配置されるサブバンドリソースを、PDCCH上で搬送されるPDCCHリソースまたはDCIに基づいて決定する。
【０１３８】
任意選択で、第1のPRBインデックスに基づいて、端末は、共通ダウンリンク制御チャネルを復調するためのDMRS、共通ダウンリンク制御チャネル、共通ダウンリンクデータチャネルを復調するためのDMRS、共通ダウンリンクデータチャネル、端末固有制御チャネルを復調するためのDMRS、端末固有制御チャネル、端末固有データチャネルを復調するためのDMRS、および端末固有データチャネルのうちの少なくとも1つを、SIBがその上に配置されるサブバンド上で受信する。データチャネルは共有チャネルであり、共通ダウンリンクデータチャネルは、共通ダウンリンク制御情報を使用することによってスケジュールされた少なくともダウンリンクデータチャネルを含み、共通ダウンリンクデータチャネルは、SIBに対応する少なくとも共通ダウンリンクデータチャネルを含み、端末固有ダウンリンクデータチャネルは、端末ダウンリンク制御情報を使用することによってスケジュールされた少なくともダウンリンクデータチャネルを含む。任意選択で、端末は、SIBに対応する共通ダウンリンクデータチャネルをスケジュールするための共通ダウンリンク制御情報を含む共通ダウンリンク制御情報、および/または端末固有ダウンリンクデータチャネルをスケジュールするための端末固有ダウンリンク制御情報を、第1のPRBインデックスに基づいてPDCCHリソース上でさらに受信し得る。アクセスを完了する前に端末が帯域幅能力を報告しないので、すべての端末がSIBおよび/またはPDCCHを正しく受信できることを確実にするために、サブバンドの帯域幅および/またはPDCCHリソースの帯域幅は最小端末帯域幅能力を越えない。したがって、第1の帯域幅は最小端末帯域幅能力であってよい。
【０１３９】
詳細には、第1のPRBインデックスが第2の仮想帯域幅内にあることが指定され、第2の仮想帯域幅は、同期信号ブロックの周波数領域ロケーション、または基地局によって示される周波数領域における第1のロケーション、および最小端末帯域幅能力に基づいて決定される。任意選択で、第2の仮想帯域幅は、共通帯域幅の中心PRBのロケーション、またはPRBのサブキャリア0、サブキャリア5、サブキャリア6、およびサブキャリア11のうちの1つのロケーション、もしくはそのサブキャリアから1/2サブキャリア間隔のシフトにおけるロケーションに位置合わせされる。第2の仮想帯域幅は、第1の最小仮想帯域幅、第2の公称帯域幅、または第1の最小公称帯域幅と呼ばれることもあり、このことは本発明において限定されない。
【０１４０】
詳細には、基地局は、第1のPRBインデックスに基づいてダウンリンク基準信号のシーケンスを決定し得、基地局は、ダウンリンク基準信号のシーケンスの一部または全部を少なくとも1つのREにマッピングし、基地局は、少なくとも1つのRE上でダウンリンク基準信号を送る。ダウンリンク基準信号はDMRSであってよく、DMRSは、以下のチャネル、すなわち、SIBに対応する少なくとも共通ダウンリンクデータチャネルを含む共通ダウンリンクデータチャネル、SIBに対応する共通ダウンリンクデータチャネルをスケジュールするための少なくとも共通ダウンリンク制御チャネルを含む共通ダウンリンク制御チャネル、端末固有ダウンリンク制御チャネル、および端末固有ダウンリンクデータチャネルのうちの少なくとも1つを復調するために使用され得る。
【０１４１】
本出願のこの実施形態では、説明のための一例として、基地局がDMRSシーケンスを決定するとともにシーケンスの一部または全部をREにマッピングすることが使用される。別の基準信号のシーケンスを決定する方式は、DMRSシーケンスを決定する方式と類似であり、詳細は本明細書で説明しない。任意選択で、別の基準信号はCSI-RSおよび/またはPT-RSを含む。
【０１４２】
可能な実装形態では、DMRSシーケンスは、最小端末帯域幅能力を使用することによって定義される。詳細には、DMRSシーケンスは式(6)に従って生成され得る。
【０１４３】
【数９】
2019535186.tif 000011
【０１４４】
本式において、r(m)はDMRSシーケンスであり、c(m)は擬似シーケンスであり、Qは最小端末帯域幅能力であり、Aは、周波数領域における第1の周波数領域単位および時間領域における第1の時間単位での、DMRSを送信するために使用されるREの数量を表す。第1の周波数領域単位は12K本のサブキャリアを含み、Kは正の整数であり、第1の時間単位は、シンボル、シンボルグループ、タイムスロット、タイムスロットグループ、サブフレームなどであってよい。この実施形態において第1の時間単位の特定の内容は限定されない。任意選択で、基準信号のシーケンスがサブフレーム内にあることが指定されるとき、Aは、基準信号がその上に配置されるサブバンドに対応するシステムパラメータセットに基づいて決定され得、システムパラメータセットは、サブキャリア間隔および/またはCPタイプを含む。任意選択で、DMRSが、SIBに対応するダウンリンクデータチャネル、および/または端末固有ダウンリンク制御チャネルをスケジュールするための、少なくともPDCCHを復調するために使用されるとき、Aは、時間領域におけるPDCCHリソースの中に含まれるシンボルの数量に基づいて決定される。
【０１４５】
図5bおよび図5dの一例において、DMRSシーケンスが生成された後、DMRSシーケンスの一部が式(7)に従ってREにマッピングされ得る。
【０１４６】
【数１０】
2019535186.tif 000012
【０１４７】
本式において、m'=m+a1-b1であり、m=0,1,...,B・P-1であり、
【０１４８】
【数１１】
2019535186.tif 000013
【０１４９】
または
【０１５０】
【数１２】
2019535186.tif 000014
【０１５１】
であり、かつ
【０１５２】
【数１３】
2019535186.tif 000015
【０１５３】
または
【０１５４】
【数１４】
2019535186.tif 000016
【０１５５】
であり、ここで、G2(・)は事前定義関数であり、kは周波数領域におけるサブキャリアのインデックスであり、lは時間領域におけるシンボルのインデックスであり、pはアンテナポート番号であり、
【０１５６】
【数１５】
2019535186.tif 000017
【０１５７】
は、RE(k,l)上のアンテナポート番号pに対応する複素数値変調シンボルであり、Bは、周波数領域における第2の周波数領域単位および時間領域における第2の時間単位での、DMRSを送信するために使用されるREの数量を表す。第2の周波数領域単位は12L本のサブキャリアを含み、Lは正の整数であり、第2の時間単位は、シンボル、シンボルグループ、タイムスロット、タイムスロットグループ、サブキャリアなどであってよい。この実施形態において第2の時間単位の特定の内容は限定されない。任意選択で、基準信号のシーケンスがサブフレーム内にあることが指定されるとき、Bは、DMRSがその上に配置されるサブバンドに対応するシステムパラメータセットに基づいて決定され、システムパラメータセットは、サブキャリア間隔および/またはCPタイプを含む。任意選択で、Bは、時間領域におけるPDCCHリソースの中に含まれるシンボルの数量に基づいて決定される。
【０１５８】
任意選択で、第2の仮想帯域幅は、共通帯域幅の最低PRBのロケーション、またはPRBのサブキャリア0、サブキャリア5、サブキャリア6、およびサブキャリア11のうちの1つのロケーション、もしくはそのサブキャリアから1/2サブキャリア間隔のシフトにおけるロケーションに位置合わせされる。この場合、DMRSシーケンスの一部がREにマッピングされるとき、m'=0,1,...,B・P-1である。
【０１５９】
この実施形態では、キャリア上の同期信号ブロックのキャリア帯域幅またはロケーションを知ることなく、端末は、以下のチャネル、すなわち、SIBに対応する少なくとも共通ダウンリンクデータチャネルを含む共通ダウンリンクデータチャネル、SIBに対応する共通ダウンリンクデータチャネルをスケジュールするための少なくとも共通ダウンリンク制御チャネルを含む共通ダウンリンク制御チャネル、端末固有ダウンリンク制御チャネル、および端末固有ダウンリンクデータチャネルのうちの少なくとも1つを、第1のPRBインデックスに基づいて正しく受信し得る。加えて、SIBに対応する少なくとも共通ダウンリンクデータチャネルを含む共通ダウンリンクデータチャネル、および/または端末固有ダウンリンク制御チャネルは、DCIのサイズを低減するとともに通信ロバストネスを改善するように、最小端末帯域幅能力よりも大きくない共通帯域幅の中に制限される。
【０１６０】
ステップ202:端末は、第2のPRBインデックスに基づいて端末固有情報を送信および/または受信し、ここで、第2のPRBインデックスは、周波数領域における第2の帯域幅および/または第2のロケーションに基づいて決定される。任意選択で、異なるサブキャリア間隔が、それぞれの第2のPRBインデックスに対応する。
【０１６１】
詳細には、第2のPRBインデックスは、端末と基地局との間に接続が確立された後に使用されるPRBインデックスであるか、または第2のPRBインデックスは、端末がSIBを受信した後に使用されるPRBインデックスである。
【０１６２】
この実施形態では、端末は、第2のPRBインデックスに基づいて端末固有情報を基地局へ送ってよく、または基地局によって送られた端末固有情報を第2のPRBインデックスに基づいて受信し得る。第2のPRBインデックスは、第2の帯域幅のみに基づいて決定され得るか、もしくは第2のロケーションのみに基づいて決定され得るか、または第2の帯域幅および第2のロケーションに基づいて決定され得る。
【０１６３】
第2の帯域幅は、最大キャリア帯域幅に基づいて決定されるか、または端末帯域幅能力よりも大きくない。任意選択で、第2の帯域幅は、最大キャリア帯域幅の正の整数倍である。最大キャリア帯域幅とは、キャリアの中に含まれるPRBの最大数量であるか、または基地局によって同時に送られ得る/受信され得るPRBの数量である。任意選択で、最大キャリア帯域幅は、第2のPRBインデックスに対応するサブキャリア間隔に基づいて決定される。任意選択で、最大キャリア帯域幅は、最大ダウンリンクキャリア帯域幅または最大アップリンクキャリア帯域幅であってよい。端末帯域幅能力は、端末によってサポートされ得る最大帯域幅、詳細には、端末によって同時に送信および/または受信され得るPRBブロックの最大数量である。任意選択で、端末帯域幅能力は、端末ダウンリンク帯域幅能力または端末アップリンク帯域幅能力であってよい。端末は、ダウンリンク帯域幅を使用することによってデータおよび/またはシグナリングを受信し得、アップリンク帯域幅を使用することによってデータおよび/またはシグナリングを送り得る。
【０１６４】
第2のロケーションは、キャリア中心ロケーションであるか、または第2の情報に基づいて決定される。キャリア中心ロケーションは、ベースバンド信号生成式(8)においてk'=0に対応する点であり得る。
【０１６５】
【数１６】
2019535186.tif 000018
【０１６６】
本式において、pはアンテナポート番号であり、μはサブキャリア間隔構成に対応し、
【０１６７】
【数１７】
2019535186.tif 000019
【０１６８】
は、シンボル開始ロケーションであり、
【０１６９】
【数１８】
2019535186.tif 000020
【０１７０】
は、第tのタイムスロットにおけるアンテナポート番号pおよびサブキャリア間隔構成μに対応するベースバンド信号であり、
【０１７１】
【数１９】
2019535186.tif 000021
【０１７２】
であり、
【０１７３】
【数２０】
2019535186.tif 000022
【０１７４】
であり、
【０１７５】
【数２１】
2019535186.tif 000023
【０１７６】
は、キャリア帯域幅であり、
【０１７７】
【数２２】
2019535186.tif 000024
【０１７８】
は、PRBの中に含まれるサブキャリアの数量であり、
【０１７９】
【数２３】
2019535186.tif 000025
【０１８０】
は、RE
【０１８１】
【数２４】
2019535186.tif 000026
【０１８２】
におけるアンテナポート番号pおよびサブキャリア間隔構成μに対応する複素数値であり、
【０１８３】
【数２５】
2019535186.tif 000027
【０１８４】
は、CPタイプおよび/またはシンボル開始ロケーションに基づいて決定され、Tsは時間単位(time unit)である。キャリア中心ロケーションは、キャリア上の中間のインデックスに対応するPRBのロケーション、あるいはPRBの最低サブキャリア(サブキャリア0)もしくは中心サブキャリア(サブキャリア5またはサブキャリア6)もしくは最高サブキャリア(サブキャリア11)のロケーション、またはそのサブキャリアから1/2サブキャリア間隔のシフトにおけるロケーションであってよい。詳細には、ダウンリンクキャリアが2N個のPRBを含むとき、キャリア中心ロケーションは、(N-1)番目のPRBのロケーション、またはPRBのサブキャリア11のロケーション、もしくはそのサブキャリアから1/2サブキャリア間隔のシフトにおけるロケーションであり、ダウンリンクキャリアが2N+1個のPRBを含むとき、キャリア中心ロケーションは、N番目のPRBのロケーション、またはPRBのサブキャリア0、サブキャリア5、サブキャリア6、およびサブキャリア11のうちの1つのロケーション、もしくはそのサブキャリアから1/2サブキャリア間隔のシフトにおけるロケーションである。任意選択で、キャリア中心ロケーションは、ダウンリンクキャリア中心ロケーションまたはアップリンクキャリア中心ロケーションであってよい。加えて、第2のロケーションは、第2の情報に基づいてさらに決定され得る。第2のロケーションは、PRBのロケーション、PRBのサブキャリア0、サブキャリア5、サブキャリア6、およびサブキャリア11のうちの1つのロケーション、またはPRBのサブキャリア0、サブキャリア5、サブキャリア6、およびサブキャリア11のうちの1つから1/2サブキャリア間隔のシフトにおけるロケーションであってよい。実際の使用では、基地局は、第2のロケーションを構成するための第2の情報をいくつかの上位レイヤシグナリングに追加してよく、上位レイヤシグナリングを端末へ送ってよい。詳細には、第2の情報は、MIB、SIB、または無線リソース制御(Radio Resource Control、RRC)シグナリングを使用することによって示され得る。任意選択で、第2の情報は、第2のロケーションと周波数領域基準ロケーションとの間の第2のオフセットを示す。周波数領域基準ロケーションは、同期信号ブロックのロケーションであってよく、または上位レイヤシグナリングを使用することによって基地局によって示される周波数領域ロケーションであってよい。
【０１８５】
以下は、第2のPRBインデックスを決定する方式を詳細に説明する。
【０１８６】
第4の可能な実施形態が以下で提供される。
【０１８７】
任意選択で、図6aは、第1のPRBインデックスを決定する方式のさらに別の概略図である。図6aに示すように、第2のPRBインデックス{0,1,...,M-1}は、共通PRBインデックスである。インデックス0に対応するPRBは、周波数領域における第2のロケーションに基づいて決定され得、このことに基づいて、最大インデックスに対応するPRBは、第2の帯域幅に基づいて決定され得る。第2のロケーションは、キャリア中心ロケーションであるか、または第2の情報に基づいて決定され、第2の帯域幅は、最大キャリア帯域幅に基づいて決定される。詳細には、第2のロケーションがキャリア中心ロケーションであるとき、第2の帯域幅は最大キャリア帯域幅である。任意選択で、共通PRBインデックスは、共通ダウンリンクPRBインデックスまたは共通アップリンクPRBインデックスであってよい。それに対応して、キャリア中心ロケーションは、ダウンリンクキャリア中心ロケーションまたはアップリンクキャリア中心ロケーションであってよい。それに対応して、最大キャリア帯域幅は、最大ダウンリンクキャリア帯域幅または最大アップリンクキャリア帯域幅であってよい。
【０１８８】
任意選択で、図6bは、第1のPRBインデックスを決定する方式のさらに別の概略図である。図6bに示すように、第2のPRBインデックス{0,1,...,M-1}は、共通PRBインデックスである。インデックス0に対応するPRBは、周波数領域における第2のロケーション、および第2の帯域幅に基づいて決定され得、このことに基づいて、最大インデックスに対応するPRBは、第2の帯域幅に基づいて決定され得る。第2のロケーションは、キャリア中心ロケーションであるか、または第2の情報に基づいて決定され、第2の帯域幅は、最大キャリア帯域幅に基づいて決定される。詳細には、第2のロケーションがキャリア中心ロケーションであるとき、第2の帯域幅は最大キャリア帯域幅である。任意選択で、共通PRBインデックスは、共通ダウンリンクPRBインデックスまたは共通アップリンクPRBインデックスであってよい。それに対応して、キャリア中心ロケーションは、ダウンリンクキャリア中心ロケーションまたはアップリンクキャリア中心ロケーションであってよい。それに対応して、最大キャリア帯域幅は、最大ダウンリンクキャリア帯域幅または最大アップリンクキャリア帯域幅であってよい。
【０１８９】
図6aおよび図6bに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から右に番号付けされ、次いで、左から番号付けされる。第1のPRBインデックスにおけるPRBが別の方式で番号付けされるとき、第1のPRBインデックスを決定する方式は、図6aおよび図6bに示す決定方式と類似であり、詳細は本明細書で再び説明しない。
【０１９０】
任意選択で、端末は、第2のPRBインデックスに基づいてサブバンドリソースおよび/またはPDCCHリソースを決定し得る。図6aおよび図6bに示すように、ダウンリンクサブバンドリソースおよび/もしくはダウンリンクPDCCHリソースは、共通ダウンリンクPRBインデックスに基づいて決定され、かつ/またはアップリンクサブバンドリソースおよび/もしくはアップリンクPDCCHリソースは、共通アップリンクPRBインデックスに基づいて決定される。端末は、SIBまたはRRCシグナリングに基づいてサブバンドリソースを決定する。サブバンドは、共通ダウンリンクデータチャネル情報に対応するサブバンドであってよく、または端末のダウンリンクキャリア帯域幅部分(carrier bandwidth part)および/もしくはアップリンクキャリア帯域幅部分であってよい。サブバンドリソースは、サブバンドの周波数領域ロケーションおよび帯域幅を含むか、またはサブバンドの周波数領域ロケーションのみを含む。サブバンドの周波数領域ロケーションの定義は、ステップ201における同期信号ブロックの周波数領域ロケーションの定義と同じであり、詳細は本明細書で再び説明しない。代替として、端末は、SIBまたはRRCシグナリングに基づいてPDCCHリソースを決定する。PDCCHリソースは、共通ダウンリンクデータチャネル情報および/または端末ダウンリンクデータチャネル情報をスケジュールするために使用される。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、ステップ201における同期信号ブロックの周波数領域ロケーションの定義と同じであり、詳細は本明細書で再び説明しない。
【０１９１】
任意選択で、端末は、共通ダウンリンク制御チャネルを復調するためのDMRS、共通ダウンリンク制御チャネル、共通ダウンリンクデータチャネルを復調するためのDMRS、共通ダウンリンクデータチャネル、端末固有制御チャネルを復調するためのDMRS、端末固有制御チャネル、端末固有データチャネルを復調するためのDMRS、および端末固有データチャネルのうちの少なくとも1つを、第2のPRBインデックスに基づいてサブバンド上でさらに送信および/または受信し得る。データチャネルは共有チャネルであり、共通ダウンリンクデータチャネルは、共通ダウンリンク制御情報を使用することによってスケジュールされた少なくともダウンリンクデータチャネルを含み、端末固有データチャネルは、端末ダウンリンク制御情報を使用することによってスケジュールされた少なくともアップリンク/ダウンリンクデータチャネルを含む。任意選択で、端末は、共通ダウンリンクデータチャネルをスケジュールするための共通ダウンリンク制御情報、および/または端末固有データチャネルをスケジュールするための端末固有ダウンリンク制御情報を、第2のPRBインデックスに基づいてPDCCHリソース上で受信し得る。端末は、ダウンリンクデータチャネルを使用することによってデータを受信し得、アップリンクデータチャネルを使用することによってデータをさらに送り得る。
【０１９２】
詳細には、第2のPRBインデックスが第3の仮想帯域幅内にあることが指定され、第3の仮想帯域幅は、キャリア中心ロケーション、または基地局によって示される周波数領域における第2のロケーション、および最大キャリア帯域幅に基づいて決定される。任意選択で、第3の仮想帯域幅の中心PRBのロケーション、またはPRBのサブキャリア0、サブキャリア5、サブキャリア6、およびサブキャリア11のうちの1つのロケーション、もしくはそのサブキャリアから1/2サブキャリア間隔のシフトにおけるロケーションは、中心ロケーション、または基地局によって示される周波数領域における第2のロケーションである。第3の仮想帯域幅は、第2の最大仮想帯域幅、第3の公称帯域幅、または第2の最大公称帯域幅と呼ばれることもあり、このことは本発明において限定されない。
【０１９３】
詳細には、基地局は、第2のPRBインデックスに基づいてダウンリンク基準信号のシーケンスを決定し得、基地局は、ダウンリンク基準信号のシーケンスの一部または全部を少なくとも1つのREにマッピングし、基地局は、少なくとも1つのRE上でダウンリンク基準信号を送る。ダウンリンク基準信号はDMRSであってよく、DMRSは、以下のチャネル、すなわち、共通ダウンリンクデータチャネルをスケジュールするためのPDCCH、共通ダウンリンクデータチャネルを含む共通ダウンリンクデータチャネル、端末固有ダウンリンク制御チャネル、および端末固有ダウンリンクデータチャネルのうちの少なくとも1つを復調するために使用され得る。
【０１９４】
本出願のこの実施形態では、説明のための一例として、基地局がDMRSシーケンスを決定するとともにシーケンスの一部または全部をREにマッピングすることが使用される。別の基準信号のシーケンスを決定する方式は、DMRSシーケンスを決定する方式と類似であり、詳細は本明細書で説明しない。任意選択で、別の基準信号は、CSI-RS、PT-RS、アップリンクDMRS、およびサウンディング基準信号(Sounding Reference Signal、SRS)を含む。
【０１９５】
可能な実装形態では、DMRSシーケンスは、第2のPRBインデックスを使用することによって定義される。詳細には、DMRSシーケンスを生成するための方法は、第1の可能な実施形態におけるDMRSシーケンス生成方法と同じであり、すなわち、DMRSシーケンスは式(1)に従って生成され得る。生成されたDMRSシーケンスがREにマッピングされるとき、端末は、送信および/または受信される基準信号を決定するように、サブバンド上の各PRBの、第2のPRBインデックスに対応する個数を、サブバンドの周波数領域ロケーションに基づいて決定し得る。詳細には、DMRSシーケンスをマッピングするための方法は、第1の可能な実施形態におけるDMRSシーケンスマッピング方法と同じであり、すなわち、DMRSシーケンスは式(2)に従ってマッピングされ得る。代替として、端末は、送信および/または受信される基準信号を決定するように、PDCCHリソース上の各REGがその上に配置されるPRBの、第2のPRBインデックスに対応する個数を、PDCCHリソースの周波数領域ロケーションに基づいて決定し得る。詳細には、DMRSシーケンスをマッピングするための方法は、第1の可能な実施形態におけるDMRSシーケンスマッピング方法と同じであり、すなわち、DMRSシーケンスは式(3)に従ってマッピングされ得る。
【０１９６】
任意選択で、生成されたDMRSシーケンスがREにマッピングされるとき、第2のPRBインデックスは、端末固有PRBインデックス、およびサブバンドの周波数領域ロケーションまたはPDCCHリソースの周波数領域ロケーションと第2のロケーションとの間のオフセットを使用することによって表され得、端末固有PRBインデックスがサブバンドの帯域幅内またはPDCCHリソースの帯域幅内にあることが指定される。図6bの一例では、nCPRB=a+noffset+nUPRBであり、ここで、
【０１９７】
【数２６】
2019535186.tif 000028
【０１９８】
または
【０１９９】
【数２７】
2019535186.tif 000029
【０２００】
であり、noffsetは、サブバンドの周波数領域ロケーションまたはPDCCHリソースの周波数領域ロケーションと第2のロケーションとの間のオフセットであり、nUPRBは端末固有PRBインデックスである。
【０２０１】
等価的に、端末固有PRBインデックスは、第2のPRBインデックス、およびサブバンドの周波数領域ロケーションまたはPDCCHリソースの周波数領域ロケーションと第2のロケーションとの間のオフセットを使用することによって表されてよい。
【０２０２】
加えて、初期アクセスの前および後のPRBグリッドが一致するとき、以下の場合が存在する。すなわち、MU-MIMOで構成された2つの端末の場合、初期アクセスの後、一方の端末はSIBを受信するためにサブバンドにキャンプオン(camp on)され、もう一方の端末は帯域幅部分で構成され、帯域幅部分はサブバンドと(部分的または完全に)オーバーラップする。2つの端末に対するマルチユーザ多入力多出力(Multi-user Multiple Input Multiple Output、MU-MIMO)を構成するために、2つの端末の帯域幅部分の中で同じインデックスを有するPRB上の基準シンボルは同じである必要がある。この場合、基地局は、第3のオフセットδを(たとえば、RRCシグナリングを使用することによって)半静的に構成する。生成されたDMRSシーケンスがREにマッピングされるとき、端末は、送信および/または受信される基準信号を決定するように、サブバンド上の各PRBの、第2のPRBインデックスに対応する個数を、サブバンドの周波数領域ロケーションに基づいて決定し得る。詳細には、DMRSシーケンスは式(9)または式(10)に従ってマッピングされ得る。
【０２０３】
【数２８】
2019535186.tif 000030
【０２０４】
【数２９】
2019535186.tif 000031
【０２０５】
代替として、端末は、送信および/または受信される基準信号を決定するように、PDCCHリソース上の各REGがその上に配置されるPRBの、第2のPRBインデックスに対応する個数を、PDCCHリソースの周波数領域ロケーションに基づいて決定し得る。詳細には、DMRSシーケンスは式(11)に従ってマッピングされ得る。
【０２０６】
【数３０】
2019535186.tif 000032
【０２０７】
この実施形態では、キャリア帯域幅を知ることなく、端末は、以下のチャネル、すなわち、共通ダウンリンク制御チャネル、共通ダウンリンクデータチャネル、端末固有制御チャネル、および端末固有データチャネルのうちの少なくとも1つ、ならびに以下の信号、すなわち、共通ダウンリンク制御チャネルを復調するためのDMRS、共通ダウンリンクデータチャネルを復調するためのDMRS、端末固有制御チャネルを復調するためのDMRS、および端末固有データチャネルを復調するためのDMRSのうちの少なくとも1つを、第2のPRBインデックスに基づいて正しく送信および/または受信し得る。端末は、ダウンリンクデータチャネルを使用することによってデータを受信し得、アップリンクデータチャネルを使用することによってデータをさらに送り得る。端末は、ダウンリンク制御チャネルを使用することによってシグナリングを受信し得る。
【０２０８】
加えて、完全にオーバーラップするかまたは部分的にオーバーラップするサブバンドリソースまたはPDCCHリソースで構成された2つの端末は、オーバーラップされた部分の中のPRBの個数に対して同じ理解を有するので、すべてのPRBにマッピングされる基準信号シーケンスは、同じシーケンス値を有する。この場合、2つの端末に対してMU-MIMOが構成されてよく、それによって、システムスループットを改善する。本明細書では、共通ダウンリンクデータチャネル情報に対応するとともにSIBまたはRRCシグナリングに基づいて決定されるサブバンド、ならびに端末のダウンリンクキャリア帯域幅部分(carrier bandwidth part)および/またはアップリンクキャリア帯域幅部分に加えて、サブバンドリソースは、MIBを使用することによって構成される共通ダウンリンクデータチャネル情報に対応するサブバンドを含む。
【０２０９】
第5の可能な実施形態が以下で提供される。
【０２１０】
任意選択で、図7aは、第1のPRBインデックスを決定する方式のさらに別の概略図である。図7aに示すように、第2のPRBインデックス{0,1,...,P-1}は、共通ダウンリンクPRBインデックスである。インデックス0に対応するPRBは、周波数領域における第2のロケーションに基づいて決定され得、このことに基づいて、最大インデックスに対応するPRBは、第2の帯域幅に基づいて決定され得る。第2のロケーションは、第2の情報に基づいて決定され、第2の帯域幅は、端末帯域幅能力よりも大きくないか、または最小端末帯域幅能力に基づいて決定される。任意選択で、第2の帯域幅は最小端末帯域幅能力である。
【０２１１】
任意選択で、図7bは、第1のPRBインデックスを決定する方式のさらに別の概略図である。図7bに示すように、第2のPRBインデックス{0,1,...,P-1}は、共通ダウンリンクPRBインデックスである。インデックス0に対応するPRBは、周波数領域における第2のロケーション、および第2の帯域幅に基づいて決定され得、このことに基づいて、最大インデックスに対応するPRBは、第2の帯域幅に基づいて決定され得る。第2のロケーションは、第2の情報に基づいて決定され、第2の帯域幅は、端末帯域幅能力よりも大きくないか、または最小端末帯域幅能力に基づいて決定される。任意選択で、第2の帯域幅は最小端末帯域幅能力である。
【０２１２】
図7aおよび図7bに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から右に番号付けされ、次いで、左から番号付けされる。第1のPRBインデックスにおけるPRBが別の方式で番号付けされるとき、第1のPRBインデックスを決定する方式は、図7aおよび図7bに示す決定方式と類似であり、詳細は本明細書で再び説明しない。
【０２１３】
端末は、SIBまたはRRCシグナリングに基づいてサブバンドリソースを決定する。サブバンドは、共通ダウンリンクデータチャネル情報に対応するサブバンドであってよい。サブバンドリソースは、サブバンドの周波数領域ロケーションおよび帯域幅を含むか、またはサブバンドの周波数領域ロケーションのみを含む。任意選択で、サブバンドの周波数領域ロケーションの定義は、ステップ201における同期信号ブロックの周波数領域ロケーションの定義と同じであり、詳細は本明細書で再び説明しない。代替として、端末は、SIBまたはRRCシグナリングに基づいてPDCCHリソースを決定する。PDCCHリソースは、共通ダウンリンクデータチャネル情報をスケジュールするために使用される。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、ステップ201における同期信号ブロックの周波数領域ロケーションの定義と同じであり、詳細は本明細書で再び説明しない。したがって、端末は、図7aおよび図7bに示すようにサブバンドリソースおよび/またはPDCCHリソースを決定し得る。
【０２１４】
任意選択で、端末は、共通ダウンリンクデータチャネルを復調するためのDMRS、共通ダウンリンクデータチャネル、共通ダウンリンク制御チャネルを復調するためのDMRS、および共通ダウンリンク制御チャネルのうちの少なくとも1つを、第2のPRBインデックスに基づいてサブバンド上で受信し得る。データチャネルは共有チャネルであり、共通ダウンリンクデータチャネルは、共通ダウンリンク制御情報を使用することによってスケジュールされた少なくともダウンリンクデータチャネルを含む。任意選択で、端末は、共通ダウンリンクデータチャネルをスケジュールするための共通ダウンリンク制御情報を、第2のPRBインデックスに基づいてPDCCHリソース上で受信し得る。
【０２１５】
詳細には、基地局は、第2のPRBインデックスに基づいてダウンリンク基準信号のシーケンスを決定し得、基地局は、ダウンリンク基準信号のシーケンスの一部または全部を少なくとも1つのREにマッピングし、基地局は、少なくとも1つのRE上でダウンリンク基準信号を送る。ダウンリンク基準信号はDMRSであってよく、DMRSは、以下のチャネル、すなわち、共通ダウンリンクデータチャネルをスケジュールするためのPDCCH、および/または共通ダウンリンクデータチャネルのうちの少なくとも1つを復調するために使用され得る。
【０２１６】
本出願のこの実施形態では、説明のための一例として、基地局がDMRSシーケンスを決定するとともにシーケンスの一部または全部をREにマッピングすることが使用される。別の基準信号のシーケンスを決定する方式は、DMRSシーケンスを決定する方式と類似であり、詳細は本明細書で説明しない。任意選択で、別の基準信号はCSI-RSおよび/またはPT-RSを含む。
【０２１７】
可能な実装形態では、DMRSシーケンスは、第2のPRBインデックスを使用することによって定義される。詳細には、DMRSシーケンスを生成するための方法は、第2の可能な実施形態におけるDMRSシーケンス生成方法と同じであり、すなわち、DMRSシーケンスは式(4)に従って生成され得る。生成されたDMRSシーケンスがREにマッピングされるとき、端末は、送信および/または受信される基準信号を決定するように、サブバンド上の各PRBの、第2のPRBインデックスに対応する個数を、サブバンドの周波数領域ロケーションに基づいて決定し得る。代替として、端末は、送信および/または受信される基準信号を決定するように、PDCCHリソース上の各REGがその上に配置されるPRBの、第2のPRBインデックスに対応する個数を、PDCCHリソースの周波数領域ロケーションに基づいて決定し得る。詳細には、DMRSシーケンスをマッピングするための方法は、第2の可能な実施形態におけるDMRSシーケンスマッピング方法と同じであり、すなわち、DMRSシーケンスは式(5)に従ってマッピングされ得る。
【０２１８】
この実施形態では、キャリア帯域幅を知ることなく、端末は、以下のもの、すなわち、共通ダウンリンクデータチャネル、共通ダウンリンクデータチャネルを復調するためのDMRS、共通ダウンリンク制御チャネル、および共通ダウンリンク制御チャネルを復調するためのDMRSのうちの少なくとも1つを、第2のPRBインデックスに基づいて正しく受信し得る。加えて、DCIのサイズを低減するとともに通信ロバストネスを改善するように、共通ダウンリンクデータチャネルが、最小端末帯域幅能力よりも大きくない共通帯域幅の中に制限されるので。
【０２１９】
第6の可能な実施形態が以下で提供される。
【０２２０】
任意選択で、図8aは、第1のPRBインデックスを決定する方式のさらに別の概略図である。図8aに示すように、第2のPRBインデックス{0,1,...,Q-1}は、共通ダウンリンクPRBインデックスである。インデックス0に対応するPRBは、周波数領域における第2のロケーションに基づいて決定され得、このことに基づいて、最大インデックスに対応するPRBは、第2の帯域幅に基づいて決定され得る。第2のロケーションは、第2の情報に基づいて決定され、第2の帯域幅は、最小端末帯域幅能力である。
【０２２１】
任意選択で、図8bは、第1のPRBインデックスを決定する方式のさらに別の概略図である。図8bに示すように、第2のPRBインデックス{0,1,...,Q-1}は、共通ダウンリンクPRBインデックスである。インデックス0に対応するPRBは、周波数領域における第2のロケーション、および第2の帯域幅に基づいて決定され得、このことに基づいて、最大インデックスに対応するPRBは、第2の帯域幅に基づいて決定され得る。第2のロケーションは、第2の情報に基づいて決定され、第2の帯域幅は、最小端末帯域幅能力である。
【０２２２】
図8aおよび図8bに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から右に番号付けされ、次いで、左から番号付けされる。第1のPRBインデックスにおけるPRBが別の方式で番号付けされるとき、第1のPRBインデックスを決定する方式は、図3aおよび図3bに示す決定方式と類似であり、詳細は本明細書で再び説明しない。
【０２２３】
端末は、SIBまたはRRCシグナリングに基づいてサブバンドリソースを決定する。サブバンドは、共通ダウンリンクデータチャネル情報に対応するサブバンドであってよい。サブバンドリソースは、サブバンドの周波数領域ロケーションおよび帯域幅を含むか、またはサブバンドの周波数領域ロケーションのみを含む。サブバンドの周波数領域ロケーションの定義は、ステップ201における同期信号ブロックの周波数領域ロケーションの定義と同じであり、詳細は本明細書で再び説明しない。代替として、端末は、SIBまたはRRCシグナリングに基づいてPDCCHリソースを決定する。PDCCHリソースは、共通ダウンリンクデータチャネル情報をスケジュールするために使用される。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、ステップ201における同期信号ブロックの周波数領域ロケーションの定義と同じであり、詳細は本明細書で再び説明しない。したがって、端末は、図8aおよび図8bに示すようにサブバンドリソースおよび/またはPDCCHリソースを決定し得る。
【０２２４】
任意選択で、端末は、共通ダウンリンクデータチャネルを復調するためのDMRS、共通ダウンリンクデータチャネル、共通ダウンリンク制御チャネルを復調するためのDMRS、および共通ダウンリンク制御チャネルのうちの少なくとも1つを、第2のPRBインデックスに基づいてサブバンド上で受信し得る。データチャネルは共有チャネルであり、共通ダウンリンクデータチャネルは、共通ダウンリンク制御情報を使用することによってスケジュールされた少なくともダウンリンクデータチャネルを含む。任意選択で、端末は、共通ダウンリンクデータチャネルをスケジュールするための共通ダウンリンク制御情報を、第2のPRBインデックスに基づいてPDCCHリソース上で受信し得る。
【０２２５】
詳細には、第2のPRBインデックスが第4の仮想帯域幅内にあることが指定され、第4の仮想帯域幅は、基地局によって示される周波数領域における第2のロケーション、および最小端末能力に基づいて決定される。任意選択で、第4の仮想帯域幅は、共通帯域幅の中心PRBのロケーション、またはPRBのサブキャリア0、サブキャリア5、サブキャリア6、およびサブキャリア11のうちの1つのロケーション、もしくはそのサブキャリアから1/2サブキャリア間隔のシフトにおけるロケーションに位置合わせされる。第4の仮想帯域幅は、第2の最小仮想帯域幅、第4の公称帯域幅、または第2の最小公称帯域幅と呼ばれることもあり、このことは本発明において限定されない。
【０２２６】
詳細には、基地局は、第2のPRBインデックスに基づいてダウンリンク基準信号のシーケンスを決定し得、基地局は、ダウンリンク基準信号のシーケンスの一部または全部を少なくとも1つのREにマッピングし、基地局は、少なくとも1つのRE上でダウンリンク基準信号を送る。ダウンリンク基準信号はDMRSであってよく、DMRSは、以下のチャネル、すなわち、共通ダウンリンクデータチャネルをスケジュールするためのPDCCH、および/または共通ダウンリンクデータチャネルのうちの少なくとも1つを復調するために使用され得る。
【０２２７】
本出願のこの実施形態では、説明のための一例として、基地局がDMRSシーケンスを決定するとともにシーケンスの一部または全部をREにマッピングすることが使用される。別の基準信号のシーケンスを決定する方式は、DMRSシーケンスを決定する方式と類似であり、詳細は本明細書で説明しない。任意選択で、別の基準信号はCSI-RSおよび/またはPT-RSを含む。
【０２２８】
可能な実装形態では、DMRSシーケンスは、第2のPRBインデックスを使用することによって定義される。詳細には、DMRSシーケンスを生成するための方法は、第3の可能な実施形態におけるDMRSシーケンス生成方法と同じであり、すなわち、DMRSシーケンスは式(6)に従って生成され得る。生成されたDMRSシーケンスがREにマッピングされるとき、端末は、送信および/または受信される基準信号を決定するように、サブバンド上の各PRBであり第2のPRBインデックスに対応する個数を決定し得る。代替として、端末は、送信および/または受信される基準信号を決定するように、PDCCHリソース上の各REGがその上に配置されるPRBであり第2のPRBインデックスに対応する個数を、PDCCHリソースの周波数領域ロケーションに基づいて決定し得る。詳細には、DMRSシーケンスをマッピングするための方法は、第3の可能な実施形態におけるDMRSシーケンスマッピング方法と同じであり、すなわち、DMRSシーケンスは式(7)に従ってマッピングされ得る。
【０２２９】
この実施形態では、キャリア帯域幅を知ることなく、端末は、以下のもの、すなわち、共通ダウンリンクデータチャネル、共通ダウンリンクデータチャネルを復調するためのDMRS、共通ダウンリンク制御チャネル、および共通ダウンリンク制御チャネルを復調するためのDMRSのうちの少なくとも1つを、第2のPRBインデックスに基づいて正しく受信し得る。加えて、DCIのサイズを低減するとともに通信ロバストネスを改善するように、共通ダウンリンクデータチャネルが、最小端末帯域幅能力よりも大きくない共通帯域幅の中に制限されるので。
【０２３０】
第7の可能な実施形態が以下で提供される。
【０２３１】
任意選択で、第2のPRBインデックスは端末固有ダウンリンクPRBインデックスである。端末固有ダウンリンクPRBインデックスが端末のキャリア帯域幅部分内にあることが指定される。任意選択で、キャリア帯域幅部分は、ダウンリンクキャリア帯域幅部分またはアップリンクキャリア帯域幅部分であってよい。
【０２３２】
端末は、SIBまたはRRCシグナリングに基づいてキャリア帯域幅部分のリソースを決定する。キャリア帯域幅リソースは、キャリア帯域幅部分の周波数領域ロケーションおよび帯域幅を含むか、またはキャリア帯域幅部分の周波数領域ロケーションのみを含む。キャリア帯域幅部分の周波数領域ロケーションの定義は、ステップ201における同期信号ブロックの周波数領域ロケーションの定義と同じであり、詳細は本明細書で再び説明しない。代替として、端末は、SIBまたはRRCシグナリングに基づいてPDCCHリソースを決定する。PDCCHリソースは、端末固有ダウンリンクデータチャネル情報をスケジュールするために使用される。PDCCHリソースは、PDCCHリソースの周波数領域ロケーションおよび帯域幅を含むか、またはPDCCHリソースの周波数領域ロケーションのみを含む。PDCCHリソースの周波数領域ロケーションの定義は、ステップ201における同期信号ブロックの周波数領域ロケーションの定義と同じであり、詳細は本明細書で再び説明しない。
【０２３３】
任意選択で、端末は、第2のPRBインデックスに基づいてキャリア帯域幅部分の中で端末固有データチャネルを送信および/または受信し得る。端末固有データチャネルは、端末固有ダウンリンクデータチャネルおよび/または端末固有アップリンクデータチャネルを含む端末固有共有チャネルであり、端末固有データチャネルは、端末ダウンリンク制御情報を使用することによってスケジュールされた少なくともデータチャネルを含む。任意選択で、端末は、端末固有アップリンク/ダウンリンクデータをスケジュールするための端末固有ダウンリンク制御情報を、第2のPRBインデックスに基づいてPDCCHリソース上で受信し得る。送信とは、送ることおよび/または受信することとして理解されてよく、このことは本出願において限定されない。
【０２３４】
第8の可能な実施形態が以下で提供される。
【０２３５】
サブバンドの中でリソースを割り振るための方法では、サブバンドは、共通帯域幅であってよく、ダウンリンクキャリア帯域幅部分であってよく、またはアップリンクキャリア帯域幅部分であってよい。
【０２３６】
リソース割振り方法では、リソース割振り情報の中のリソース割振り領域が、リソース表示値(Resource Indication Value、RIV)を含み、RIVは、サブバンド上の最低PRBのオフセットRBoffset、および割り振られた連続するRBまたは割り振られた連続する仮想RBの数量(LCRBs)に対応する。RIVは次のように定義される。
【０２３７】
【数３１】
2019535186.tif 000033
【０２３８】
である場合、
【０２３９】
【数３２】
2019535186.tif 000034
【０２４０】
であり、そうでない場合、
【０２４１】
【数３３】
2019535186.tif 000035
【０２４２】
である。
【０２４３】
本式において、LCRBs≧1であり、
【０２４４】
【数３４】
2019535186.tif 000036
【０２４５】
よりも大きくなく、
【０２４６】
【数３５】
2019535186.tif 000037
【０２４７】
は、システムパラメータ構成μに対応するサブバンドの中に含まれるRBの数量を表す。
【０２４８】
端末は、割り振られた連続するRBまたは割り振られた連続する仮想RBが{RB0+RBoffset,...,RB0+RBoffset+LCRBs-1}であることを、RIVに基づいて決定し、ここで、RB0は、サブバンド上の最低PRBの、共通PRBインデックスに対応する個数であり、共通PRBインデックスは、第1の可能な実施形態における第1のPRBインデックスおよび/または第4の可能な実装形態における第2のPRBインデックスであり、共通PRBインデックスは、最大キャリア帯域幅に基づいて決定される。
【０２４９】
加えて、ステップ201およびステップ202の上記の実行シーケンスが一例にすぎないことが理解され得る。ステップ201およびステップ202を実行するためのシーケンスは限定されない。ステップ201がステップ202の前に実行されてよく、もしくはステップ202がステップ201の前に実行されてよく、または2つのステップが同時に実行されてもよい。このことは、本出願のこの実施形態において特に限定されない。
【０２５０】
上記の異なる実施形態において、同じかまたは類似の概念またはプロセスが、相互に参照されるかまたは組み合わせられてよく、異なる実施形態の分割が、本出願をより明瞭に説明するために使用されるにすぎないことに留意されたい。
【０２５１】
本出願のこの実施形態において提供されるデータ通信方法によれば、端末は、第1のPRBインデックスに基づいて共通情報を受信し、第2のPRBインデックスに基づいて端末固有情報を送信および/または受信する。第1のPRBインデックスは、周波数領域における第1の帯域幅および/または第1のロケーションに基づいて決定され、第2のPRBインデックスは、周波数領域における第2の帯域幅および/または第2のロケーションに基づいて決定される。端末は、周波数領域における第1の帯域幅および/または第1のロケーションに基づいて第1のPRBインデックスを決定し得、周波数領域における第2の帯域幅および/または第2のロケーションに基づいて第2のPRBインデックスを決定し得、端末は、共通情報を別個に受信し得、異なるPRBインデックスに基づいて端末固有情報を送信および/または受信し得る。したがって、端末は、PRBインデックスを決定することができ、決定されたPRBインデックスに基づいて、基準信号およびデータチャネル情報を基地局へ送信および/または受信することができる。
【０２５２】
図9は、本出願の一実施形態による端末の概略構造図である。図9を参照すると、端末は、受信ユニット11および通信ユニット12を含む。
【０２５３】
受信ユニット11は、第1の物理リソースブロックインデックスに基づいて共通情報を受信し、第1の物理リソースブロックインデックスは、周波数領域における第1の帯域幅および/または第1のロケーションに基づいて決定される。
【０２５４】
通信ユニット12は、第2の物理リソースブロックインデックスに基づいて端末固有情報を送信および/または受信し、第2の物理リソースブロックインデックスは、周波数領域における第2の帯域幅および/または第2のロケーションに基づいて決定される。
【０２５５】
本出願のこの実施形態において提供される端末は、上記の対応する方法実施形態を実行することができる。端末の実装原理および技術的効果は方法実施形態のものと類似であり、詳細は本明細書で再び説明しない。
【０２５６】
任意選択で、第1のロケーションは、同期信号ブロックの周波数領域ロケーションであるか、または第1の情報に基づいて決定され、第2のロケーションは、キャリア中心ロケーションであるか、または第2の情報に基づいて決定される。
【０２５７】
任意選択で、第1の情報は、マスタ情報ブロックを使用することによって示される。
【０２５８】
任意選択で、第2の情報は、マスタ情報ブロック、システム情報ブロック、または無線リソース制御シグナリングを使用することによって示される。
【０２５９】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、最大キャリア帯域幅に基づいて決定される。
【０２６０】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、キャリア帯域幅部分のサイズである。
【０２６１】
任意選択で、最大キャリア帯域幅は、サブキャリア間隔に基づいて決定される。
【０２６２】
任意選択で、共通情報は、以下の情報、すなわち、共通制御情報を復調するための基準信号、共通データチャネル情報を復調するための基準信号、共通制御情報、および共通データチャネル情報の少なくとも1つを含む。
【０２６３】
任意選択で、端末固有情報は、以下の情報、すなわち、端末固有制御情報を復調するための基準信号、端末固有データチャネル情報を復調するための基準信号、およびチャネル測定基準信号の少なくとも1つを含む。
【０２６４】
図10は、本出願の一実施形態による端末の別の概略構造図である。図9に示す実施形態に基づくと、本出願のこの実施形態では、端末は決定モジュール13をさらに含む。
【０２６５】
決定モジュール13は、端末固有データチャネル情報をスケジュールするためのキャリア帯域幅部分を、第2の物理リソースブロックインデックスに基づいて決定する。
【０２６６】
任意選択で、通信モジュール12は、端末固有データチャネル情報を送信するための物理リソースを、キャリア帯域幅部分内で送信および/または受信するようにさらに構成される。
【０２６７】
本出願のこの実施形態において提供される端末は、上記の対応する方法実施形態を実行することができる。端末の実装原理および技術的効果は方法実施形態のものと類似であり、詳細は本明細書で再び説明しない。
【０２６８】
端末の上記のユニットの分割が論理機能の分割にすぎないことに留意されたい。実際の実装形態では、ユニットの全部または一部は、1つの物理エンティティの中に統合されてよく、または物理的に分離されてよい。加えて、ユニットは、処理要素によって呼び出されるソフトウェアの形態で、もしくはハードウェアの形態で実装されてよく、または一部のユニットが、処理要素によって呼び出されるソフトウェアの形態で、もしくはハードウェアの形態で実装されてよい。たとえば、送信ユニットは、独立して配設された処理要素であってよく、または実装のために端末のチップの中に統合されてよい。加えて、送信ユニットは、プログラムとして端末のメモリの中に記憶されてよく、端末の処理要素が送信ユニットの機能を呼び出し実行する。別のユニットの実装形態は、送信ユニットのものと類似である。加えて、ユニットの全部または一部は、一緒に統合されてよく、または別個に実装されてよい。本明細書における処理要素は、信号処理能力を有する集積回路であってよい。実装プロセスにおいて、上記の方法または上記のユニットのステップは、プロセッサ要素の中のハードウェアの集積論理回路を使用することによって、またはソフトウェアの形態の命令を使用することによって実施されてよい。加えて、送信ユニットは、制御送信ユニットであり、基地局によって送られた情報を、アンテナおよび無線周波数装置などの、端末の送信装置を使用することによって受信し得る。
【０２６９】
上記のユニットは、上記の方法を実施するための1つまたは複数の集積回路、たとえば、1つもしくは複数の特定用途向け集積回路(Application Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)として構成されてよい。別の例の場合、ユニットのうちの1つが、処理要素がプログラムをスケジュールする形態で実装されるとき、処理要素は、中央処理装置(Central Processing Unit、CPU)、またはプログラムを呼び出すことができる別のプロセッサなどの、汎用プロセッサであってよい。別の例の場合、ユニットは、システムオンチップ(system-on-a-chip、SOC)の形態で統合および実装されてよい。
【０２７０】
図11は、本出願の一実施形態による基地局の概略構造図である。図11を参照すると、基地局は、送信ユニット21および通信ユニット22を含む。
【０２７１】
送信ユニット21は、第1の物理リソースブロックインデックスに基づいて共通情報を送るように構成され、第1の物理リソースブロックインデックスは、周波数領域における第1の帯域幅および/または第1のロケーションに基づいて決定される。
【０２７２】
通信ユニット22は、第2の物理リソースブロックインデックスに基づいて端末固有情報を送信および/または受信するように構成され、第2の物理リソースブロックインデックスは、周波数領域における第2の帯域幅および/または第2のロケーションに基づいて決定される。
【０２７３】
本出願のこの実施形態において提供される基地局は、上記の対応する方法実施形態を実行することができる。基地局の実装原理および技術的効果は方法実施形態のものと類似であり、詳細は本明細書で再び説明しない。
【０２７４】
任意選択で、第1のロケーションは、同期信号ブロックの周波数領域ロケーションであるか、または第1の情報に基づいて決定され、第2のロケーションは、キャリア中心ロケーションであるか、または第2の情報に基づいて決定される。
【０２７５】
任意選択で、第1の情報は、マスタ情報ブロックを使用することによって示される。
【０２７６】
任意選択で、第2の情報は、マスタ情報ブロック、システム情報ブロック、または無線リソース制御シグナリングを使用することによって示される。
【０２７７】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、最大キャリア帯域幅に基づいて決定される。
【０２７８】
任意選択で、第1の帯域幅は、最小端末帯域幅能力よりも大きくないか、または最小端末帯域幅能力に基づいて、もしくは最大キャリア帯域幅に基づいて決定され、第2の帯域幅は、キャリア帯域幅部分のサイズである。
【０２７９】
任意選択で、最大キャリア帯域幅は、サブキャリア間隔に基づいて決定される。
【０２８０】
任意選択で、共通情報は、以下の情報、すなわち、共通制御情報を復調するための基準信号、共通データチャネル情報を復調するための基準信号、共通制御情報、および共通データチャネル情報の少なくとも1つを含む。
【０２８１】
任意選択で、端末固有情報は、以下の情報、すなわち、端末固有制御情報を復調するための基準信号、端末固有データチャネル情報を復調するための基準信号、およびチャネル測定基準信号の少なくとも1つを含む。
【０２８２】
図12は、本出願の一実施形態による基地局の別の概略構造図である。図11に示す実施形態に基づくと、本出願のこの実施形態では、基地局は決定モジュール23をさらに含む。
【０２８３】
決定モジュール23は、端末固有データチャネル情報をスケジュールするためのキャリア帯域幅部分を、第2の物理リソースブロックインデックスに基づいて決定する。
【０２８４】
任意選択で、通信モジュール22は、端末固有データチャネル情報を送信するための物理リソースを、キャリア帯域幅部分内で送信および/または受信するようにさらに構成される。
【０２８５】
本出願のこの実施形態において提供される基地局は、上記の対応する方法実施形態を実行することができる。基地局の実装原理および技術的効果は方法実施形態のものと類似であり、詳細は本明細書で再び説明しない。
【０２８６】
基地局の上記のユニットの分割が論理機能の分割にすぎないことに留意されたい。実際の実装形態では、ユニットの全部または一部は、1つの物理エンティティの中に統合されてよく、または物理的に分離されてよい。加えて、ユニットは、処理要素によって呼び出されるソフトウェアの形態で、もしくはハードウェアの形態で実装されてよく、または一部のユニットが、処理要素によって呼び出されるソフトウェアの形態で、もしくはハードウェアの形態で実装されてよい。たとえば、送信ユニットは、独立して配設された処理要素であってよく、または実装のために基地局のチップの中に統合されてよい。加えて、送信ユニットは、プログラムとして基地局のメモリの中に記憶されてよく、基地局の処理要素が送信ユニットの機能を呼び出し実行する。別のユニットの実装形態は、送信ユニットのものと類似である。加えて、ユニットの全部または一部は、一緒に統合されてよく、または別個に実装されてよい。本明細書における処理要素は、信号処理能力を有する集積回路であってよい。実装プロセスにおいて、上記の方法または上記のユニットのステップは、プロセッサ要素の中のハードウェアの集積論理回路を使用することによって、またはソフトウェアの形態の命令を使用することによって実施されてよい。加えて、送信ユニットは、制御送信ユニットであり、端末によって送られた情報を、アンテナおよび無線周波数装置などの、基地局の送信装置を使用することによって受信し得る。
【０２８７】
上記のユニットは、上記の方法を実施するための1つまたは複数の集積回路、たとえば、1つもしくは複数の特定用途向け集積回路(Application Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)として構成されてよい。別の例の場合、ユニットのうちの1つが、処理要素がプログラムをスケジュールする形態で実装されるとき、処理要素は、中央処理装置(Central Processing Unit、CPU)、またはプログラムを呼び出すことができる別のプロセッサなどの、汎用プロセッサであってよい。別の例の場合、ユニットは、システムオンチップ(system-on-a-chip、SOC)の形態で統合および実装されてよい。
【０２８８】
図13は、本出願の一実施形態による端末のさらに別の概略構造図である。図13に示すように、端末は、プロセッサ110、メモリ120、およびトランシーバ装置130を含む。トランシーバ装置130は、アンテナに接続されてよい。ダウンリンク方向では、トランシーバ装置130は、基地局によって送られた情報を、アンテナを使用することによって受信し、その情報を処理のためにプロセッサ110へ送る。アップリンク方向では、プロセッサ110は、端末のデータを処理し、トランシーバ装置130を使用することによってそのデータを基地局へ送る。
【０２８９】
メモリ120は、上記の方法実施形態を実施するためのプログラム、または図9および図10に示す実施形態におけるユニットを記憶するように構成され、プロセッサ110は、上記の方法実施形態における動作を実行するためにプログラムを呼び出して、図9および図10に示すユニットを実施する。
【０２９０】
代替として、上記のユニットの一部または全部は、端末のチップの中に組み込まれる集積回路を使用することによって実施されてよい。ユニットは、別個に実装されてよく、または一緒に統合されてよい。上記のユニットは、上記の方法を実施するための1つまたは複数の集積回路、たとえば、1つもしくは複数の特定用途向け集積回路(Application Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)として構成されてよい。
【０２９１】
図14は、本出願の一実施形態による基地局のさらに別の概略構造図である。図14に示すように、基地局は、アンテナ110、無線周波数装置120、およびベースバンド装置130を含む。アンテナ110は、無線周波数装置120に接続される。アップリンク方向では、無線周波数装置120は、端末によって送られた情報を、アンテナ110を使用することによって受信し、端末によって送られた情報を処理のためにベースバンド装置130へ送る。ダウンリンク方向では、ベースバンド装置130は、端末の情報を処理し、情報を無線周波数装置120へ送り、無線周波数装置120は、端末の情報を処理し、次いで、アンテナ110を使用することによって情報を端末へ送る。
【０２９２】
一実装形態では、上記のユニットは、処理要素がプログラムをスケジュールする形態で実装される。たとえば、ベースバンド装置130は、処理要素131および記憶要素132を含み、処理要素131は、記憶要素132の中に記憶されたプログラムを呼び出して、上記の方法実施形態における方法を実行する。加えて、ベースバンド装置130は、情報を無線周波数装置120と交換するように構成されたインターフェース133をさらに含んでよい。インターフェースは、たとえば、共通公衆無線インターフェース(common public radio interface、CPRI)である。
【０２９３】
別の実装形態では、上記のユニットは、上記の方法を実施するための1つまたは複数の処理要素として構成されてよい。これらの処理要素は、ベースバンド装置130上に配設される。本明細書における処理要素は、集積回路、たとえば、1つもしくは複数のASIC、1つもしくは複数のDSP、または1つもしくは複数のFPGAであってよい。これらの集積回路は、一緒に統合されてチップを形成してよい。
【０２９４】
たとえば、上記のユニットは、システムオンチップ(system-on-a-chip、SOC)の形態で統合されてよい。たとえば、ベースバンド装置130はSOCチップを含み、SOCチップは上記の方法を実施するように構成される。処理要素131および記憶要素132は、チップの中に統合されてよく、処理要素131は、記憶要素132の中に記憶されたプログラムを呼び出して、上記の方法、または上記のユニットの機能を実施する。代替として、上記の方法、または上記のユニットの機能を実施するために、少なくとも1つの集積回路がチップの中に統合されてよい。代替として、上記の実装形態は組み合わせられてよく、いくつかのユニットの機能は、処理要素がプログラムを呼び出すことによって実施され、いくつかのユニットの機能は、集積回路を使用することによって実施される。
【０２９５】
方式にかかわらず、基地局は、少なくとも1つの処理要素、記憶要素、および通信インターフェースを含み、少なくとも1つの処理要素は、上記の方法実施形態において提供される方法を実行するように構成される。処理要素は、上記の方法実施形態におけるステップの一部または全部を、記憶要素の中に記憶されたプログラムを実行する第1の方式、またはプロセッサ要素の中のハードウェアの集積論理回路を使用する第2の方式で実行してよい。確かに、上記の方法実施形態において提供される方法は、代替として、第1の方式を第2の方式と組み合わせることによって実行されてよい。
【０２９６】
上記の説明と同様に、本明細書における処理要素は、中央処理装置(Central Processing Unit、CPU)などの汎用プロセッサであってよく、あるいは上記の方法を実施するための1つまたは複数の集積回路、たとえば、1つもしくは複数の特定用途向け集積回路(Application Specific Integrated Circuit、ASIC)、1つもしくは複数のマイクロプロセッサ(digital signal processor、DSP)、または1つもしくは複数のフィールドプログラマブルゲートアレイ(Field Programmable Gate Array、FPGA)として構成されてよい。
【０２９７】
記憶要素は、メモリであってよく、または一般的な用語としての複数の記憶要素であってよい。
【０２９８】
本出願は、可読記憶媒体およびコンピュータプログラムを含む記憶媒体をさらに提供し、コンピュータプログラムは、上記の実施形態のうちのいずれか1つにおいて提供されるデータ通信方法を実施するために使用される。
【０２９９】
本出願は、プログラム製品をさらに提供し、プログラム製品は、コンピュータプログラム(すなわち、実行命令)を含み、コンピュータプログラムは、可読記憶媒体の中に記憶される。端末の少なくとも1つのプロセッサは、可読記憶媒体からコンピュータプログラムを読み取ってよく、少なくとも1つのプロセッサは、端末が上記の実装形態において提供されるデータ通信方法を実行するように、コンピュータプログラムを実行する。
【０３００】
本出願の一実施形態は、少なくとも1つの記憶要素および少なくとも1つの処理要素を含む、データ通信装置をさらに提供する。少なくとも1つの記憶要素は、プログラムを記憶するように構成され、プログラムが実行されると、データ通信装置は、上記の実施形態のうちのいずれか1つにおける端末の動作を実行する。装置は端末チップであってよい。
【０３０１】
本出願は、可読記憶媒体およびコンピュータプログラムを含む記憶媒体をさらに提供し、コンピュータプログラムは、上記の実施形態のうちのいずれか1つにおいて提供されるデータ通信方法を実施するために使用される。
【０３０２】
本出願は、プログラム製品をさらに提供し、プログラム製品は、コンピュータプログラム(すなわち、実行命令)を含み、コンピュータプログラムは、可読記憶媒体の中に記憶される。基地局の少なくとも1つのプロセッサは、可読記憶媒体からコンピュータプログラムを読み取ってよく、少なくとも1つのプロセッサは、基地局が上記の実装形態において提供されるデータ通信方法を実行するように、コンピュータプログラムを実行する。
【０３０３】
本出願の一実施形態は、少なくとも1つの記憶要素および少なくとも1つの処理要素を含む、データ通信装置をさらに提供する。少なくとも1つの記憶要素は、プログラムを記憶するように構成され、プログラムが実行されると、データ通信装置は、上記の実施形態のうちのいずれか1つにおける基地局の動作を実行する。装置は基地局チップであってよい。
【０３０４】
上記の方法実施形態におけるステップの全部または一部は、プログラムが、関連するハードウェアに命令することによって実施されてよい。上記のプログラムは、コンピュータ可読メモリの中に記憶されてよい。プログラムが実行されると、上記の方法実施形態におけるステップが実行される。メモリ(記憶媒体)は、読取り専用メモリ(英語:read-only memory、略してROM)、RAM、フラッシュメモリ、ハードディスク、ソリッドステートディスク、磁気テープ(英語:magnetic tape)、フロッピーディスク(英語:floppy disk)、光ディスク(英語:optical disc)、およびそれらの任意の組合せを含む。
【符号の説明】
【０３０５】
10  端末
11  受信ユニット
12  通信ユニット
13  決定モジュール
20  無線アクセスネットワーク
21  送信ユニット
22  通信ユニット
23  決定モジュール
110  プロセッサ、アンテナ
120  メモリ、無線周波数装置
130  トランシーバ装置、ベースバンド装置
131  処理要素
132  記憶要素
133  インターフェース
【図１】
2019535186.tif 000038
【図２】
2019535186.tif 000039
【図３ａ】
2019535186.tif 000040
【図３ｂ】
2019535186.tif 000041
【図４ａ】
2019535186.tif 000042
【図４ｂ】
2019535186.tif 000043
【図４ｃ】
2019535186.tif 000044
【図４ｄ】
2019535186.tif 000045
【図５ａ】
2019535186.tif 000046
【図５ｂ】
2019535186.tif 000047
【図５ｃ】
2019535186.tif 000048
【図５ｄ】
2019535186.tif 000049
【図６ａ】
2019535186.tif 000050
【図６ｂ】
2019535186.tif 000051
【図７ａ】
2019535186.tif 000052
【図７ｂ】
2019535186.tif 000053
【図８ａ】
2019535186.tif 000054
【図８ｂ】
2019535186.tif 000055
【図９】
2019535186.tif 000056
【図１０】
2019535186.tif 000057
【図１１】
2019535186.tif 000058
【図１２】
2019535186.tif 000059
【図１３】
2019535186.tif 000060
【図１４】
2019535186.tif 000061
【手続補正書】
【提出日】平成31年4月12日(2019.4.12)
【手続補正１】
【補正対象書類名】明細書
【補正対象項目名】００６８
【補正方法】変更
【補正の内容】
【００６８】
【図１】NRシステムの概略構造図である。
【図２】本出願によるデータ通信方法の実施形態1のシグナリングフローチャートである。
【図３ａ】第1のPRBインデックスを決定する方式の概略図である。
【図３ｂ】第1のPRBインデックスを決定する方式の別の概略図である。
【図４ａ】第1のPRBインデックスを決定する方式のさらに別の概略図である。
【図４ｂ】第1のPRBインデックスを決定する方式のさらに別の概略図である。
【図４ｃ】第1のPRBインデックスを決定する方式のさらに別の概略図である。
【図４ｄ】第1のPRBインデックスを決定する方式のさらに別の図である。
【図５ａ】第1のPRBインデックスを決定する方式のさらに別の概略図である。
【図５ｂ】第1のPRBインデックスを決定する方式のさらに別の概略図である。
【図５ｃ】第1のPRBインデックスを決定する方式のさらに別の概略図である。
【図５ｄ】第1のPRBインデックスを決定する方式のさらに別の概略図である。
【図６ａ】第2のPRBインデックスを決定する方式のさらに別の概略図である。
【図６ｂ】第2のPRBインデックスを決定する方式のさらに別の概略図である。
【図７ａ】第2のPRBインデックスを決定する方式のさらに別の概略図である。
【図７ｂ】第2のPRBインデックスを決定する方式のさらに別の概略図である。
【図８ａ】第2のPRBインデックスを決定する方式のさらに別の概略図である。
【図８ｂ】第2のPRBインデックスを決定する方式のさらに別の概略図である。
【図９】本出願の一実施形態による端末の概略構造図である。
【図１０】本出願の一実施形態による端末の別の概略構造図である。
【図１１】本出願の一実施形態による基地局の概略構造図である。
【図１２】本出願の一実施形態による基地局の別の概略構造図である。
【図１３】本出願の一実施形態による端末のさらに別の概略構造図である。
【図１４】本出願の一実施形態による基地局のさらに別の概略構造図である。
【手続補正２】
【補正対象書類名】明細書
【補正対象項目名】００７３
【補正方法】変更
【補正の内容】
【００７３】
(4)「キャリア帯域幅部分(carrier bandwidth part)」は、チャネル帯域幅の一部であり、「帯域幅部分(bandwidth part)」、「動作帯域幅(operating bandwidth)」、または通信帯域幅、ミニBP(mini BP)、BPユニット(BP Unit)、BPサブバンドなどと呼ばれることもあり、BPまたはBWPと略されることがある。キャリア帯域幅部分の名称および略語は、本出願の実施形態において特に限定されない。BWPは、データ通信の間に2レベルリソース割振りの第1のステップにおいて決定される帯域幅であり、周波数領域における連続するかまたは連続しないリソースのセグメントであってよい。たとえば、キャリア帯域幅部分は、K個(K>0)の連続するかもしくは連続しないサブキャリアを含むか、またはキャリア帯域幅部分は、N個(N>0)のオーバーラップしない連続するかもしくは連続しないリソースブロック(Resource Block)がその上に配置される周波数領域リソースであるか、またはキャリア帯域幅部分は、M個(M>0)のオーバーラップしない連続するかもしくは連続しないリソースブロックグループ(Resource Block Group、RBG)がその上に配置される周波数領域リソースであり、1つのRBGがP個(P>0)の連続するRBを含む。キャリア帯域幅部分は、特定のシステムパラメータセット(numerology)に関係し、システムパラメータセットは、サブキャリア間隔およびサイクリックプレフィックス(Cyclic Prefix、CP)のうちの少なくとも1つを含む。
【手続補正３】
【補正対象書類名】明細書
【補正対象項目名】００７４
【補正方法】変更
【補正の内容】
【００７４】
(5)システムパラメータセット(numerology)は、エアインターフェース(air interface)における一連の物理レイヤパラメータである。特定の実装形態では、任意選択で1つのBWPが1つのnumerologyに対応し得る。numerologyは、サブキャリア間隔、時間単位タイプ、サイクリックプレフィックス(cyclic prefix、CP)タイプなどを含む。一例としてサブキャリア間隔が使用される。端末デバイスがサブキャリア間隔15kHzおよびサブキャリア間隔30kHzをサポートする場合、基地局は、サブキャリア間隔15kHzを有するBWPおよびサブキャリア間隔30kHzを有するBWPを端末デバイスに割り振ってよい。端末デバイスは、異なるシナリオおよびサービス要件に基づいて異なるBWPにハンドオーバされてよく、または2つ以上のBWP上でデータを同時に送信および/もしくは受信し得る。端末デバイスが複数のBWPをサポートするとき、各BWPがそれに対応するnumerologyは同じであるかまたは互いに異なる。
【手続補正４】
【補正対象書類名】明細書
【補正対象項目名】０１３６
【補正方法】変更
【補正の内容】
【０１３６】
図5a〜図5dに示す第1のPRBインデックスにおけるPRBの番号付けが一例にすぎないことに留意されたい。確かに、第1のPRBインデックスにおけるPRBは別の方式で番号付けされてよく、たとえば、PRBは右から左に番号付けされるか、またはPRBは中央から右に番号付けされ、次いで、左から番号付けされる。第1のPRBインデックスにおけるPRBが別の方式で番号付けされるとき、第1のPRBインデックスを決定する方式は、図5a〜図5dに示す決定方式と類似であり、詳細は本明細書で再び説明しない。
【手続補正５】
【補正対象書類名】明細書
【補正対象項目名】０１８７
【補正方法】変更
【補正の内容】
【０１８７】
任意選択で、図6aは、第2のPRBインデックスを決定する方式のさらに別の概略図である。図6aに示すように、第2のPRBインデックス{0,1,...,M-1}は、共通PRBインデックスである。インデックス0に対応するPRBは、周波数領域における第2のロケーションに基づいて決定され得、このことに基づいて、最大インデックスに対応するPRBは、第2の帯域幅に基づいて決定され得る。第2のロケーションは、キャリア中心ロケーションであるか、または第2の情報に基づいて決定され、第2の帯域幅は、最大キャリア帯域幅に基づいて決定される。詳細には、第2のロケーションがキャリア中心ロケーションであるとき、第2の帯域幅は最大キャリア帯域幅である。任意選択で、共通PRBインデックスは、共通ダウンリンクPRBインデックスまたは共通アップリンクPRBインデックスであってよい。それに対応して、キャリア中心ロケーションは、ダウンリンクキャリア中心ロケーションまたはアップリンクキャリア中心ロケーションであってよい。それに対応して、最大キャリア帯域幅は、最大ダウンリンクキャリア帯域幅または最大アップリンクキャリア帯域幅であってよい。
【手続補正６】
【補正対象書類名】明細書
【補正対象項目名】０１８８
【補正方法】変更
【補正の内容】
【０１８８】
任意選択で、図6bは、第2のPRBインデックスを決定する方式のさらに別の概略図である。図6bに示すように、第2のPRBインデックス{0,1,...,M-1}は、共通PRBインデックスである。インデックス0に対応するPRBは、周波数領域における第2のロケーション、および第2の帯域幅に基づいて決定され得、このことに基づいて、最大インデックスに対応するPRBは、第2の帯域幅に基づいて決定され得る。第2のロケーションは、キャリア中心ロケーションであるか、または第2の情報に基づいて決定され、第2の帯域幅は、最大キャリア帯域幅に基づいて決定される。詳細には、第2のロケーションがキャリア中心ロケーションであるとき、第2の帯域幅は最大キャリア帯域幅である。任意選択で、共通PRBインデックスは、共通ダウンリンクPRBインデックスまたは共通アップリンクPRBインデックスであってよい。それに対応して、キャリア中心ロケーションは、ダウンリンクキャリア中心ロケーションまたはアップリンクキャリア中心ロケーションであってよい。それに対応して、最大キャリア帯域幅は、最大ダウンリンクキャリア帯域幅または最大アップリンクキャリア帯域幅であってよい。
【手続補正７】
【補正対象書類名】明細書
【補正対象項目名】０１８９
【補正方法】変更
【補正の内容】
【０１８９】
図6aおよび図6bに示す第2のPRBインデックスにおけるPRBの番号付けが一例にすぎないことに留意されたい。確かに、第2のPRBインデックスにおけるPRBは別の方式で番号付けされてよく、たとえば、PRBは右から左に番号付けされるか、またはPRBは中央から右に番号付けされ、次いで、左から番号付けされる。第2のPRBインデックスにおけるPRBが別の方式で番号付けされるとき、第2のPRBインデックスを決定する方式は、図6aおよび図6bに示す決定方式と類似であり、詳細は本明細書で再び説明しない。
【手続補正８】
【補正対象書類名】明細書
【補正対象項目名】０１９３
【補正方法】変更
【補正の内容】
【０１９３】
詳細には、基地局は、第2のPRBインデックスに基づいてダウンリンク基準信号のシーケンスを決定し得、基地局は、ダウンリンク基準信号のシーケンスの一部または全部を少なくとも1つのREにマッピングし、基地局は、少なくとも1つのRE上でダウンリンク基準信号を送る。ダウンリンク基準信号はDMRSであってよく、DMRSは、以下のチャネル、すなわち、共通ダウンリンクデータチャネルをスケジュールするためのPDCCH、共通ダウンリンクデータチャネル、端末固有ダウンリンク制御チャネル、および端末固有ダウンリンクデータチャネルのうちの少なくとも1つを復調するために使用され得る。
【手続補正９】
【補正対象書類名】明細書
【補正対象項目名】０２１０
【補正方法】変更
【補正の内容】
【０２１０】
任意選択で、図7aは、第2のPRBインデックスを決定する方式のさらに別の概略図である。図7aに示すように、第2のPRBインデックス{0,1,...,P-1}は、共通ダウンリンクPRBインデックスである。インデックス0に対応するPRBは、周波数領域における第2のロケーションに基づいて決定され得、このことに基づいて、最大インデックスに対応するPRBは、第2の帯域幅に基づいて決定され得る。第2のロケーションは、第2の情報に基づいて決定され、第2の帯域幅は、端末帯域幅能力よりも大きくないか、または最小端末帯域幅能力に基づいて決定される。任意選択で、第2の帯域幅は最小端末帯域幅能力である。
【手続補正１０】
【補正対象書類名】明細書
【補正対象項目名】０２１１
【補正方法】変更
【補正の内容】
【０２１１】
任意選択で、図7bは、第2のPRBインデックスを決定する方式のさらに別の概略図である。図7bに示すように、第2のPRBインデックス{0,1,...,P-1}は、共通ダウンリンクPRBインデックスである。インデックス0に対応するPRBは、周波数領域における第2のロケーション、および第2の帯域幅に基づいて決定され得、このことに基づいて、最大インデックスに対応するPRBは、第2の帯域幅に基づいて決定され得る。第2のロケーションは、第2の情報に基づいて決定され、第2の帯域幅は、端末帯域幅能力よりも大きくないか、または最小端末帯域幅能力に基づいて決定される。任意選択で、第2の帯域幅は最小端末帯域幅能力である。
【手続補正１１】
【補正対象書類名】明細書
【補正対象項目名】０２１２
【補正方法】変更
【補正の内容】
【０２１２】
図7aおよび図7bに示す第2のPRBインデックスにおけるPRBの番号付けが一例にすぎないことに留意されたい。確かに、第2のPRBインデックスにおけるPRBは別の方式で番号付けされてよく、たとえば、PRBは右から左に番号付けされるか、またはPRBは中央から右に番号付けされ、次いで、左から番号付けされる。第2のPRBインデックスにおけるPRBが別の方式で番号付けされるとき、第2のPRBインデックスを決定する方式は、図7aおよび図7bに示す決定方式と類似であり、詳細は本明細書で再び説明しない。
【手続補正１２】
【補正対象書類名】明細書
【補正対象項目名】０２２０
【補正方法】変更
【補正の内容】
【０２２０】
任意選択で、図8aは、第2のPRBインデックスを決定する方式のさらに別の概略図である。図8aに示すように、第2のPRBインデックス{0,1,...,Q-1}は、共通ダウンリンクPRBインデックスである。インデックス0に対応するPRBは、周波数領域における第2のロケーションに基づいて決定され得、このことに基づいて、最大インデックスに対応するPRBは、第2の帯域幅に基づいて決定され得る。第2のロケーションは、第2の情報に基づいて決定され、第2の帯域幅は、最小端末帯域幅能力である。
【手続補正１３】
【補正対象書類名】明細書
【補正対象項目名】０２２１
【補正方法】変更
【補正の内容】
【０２２１】
任意選択で、図8bは、第2のPRBインデックスを決定する方式のさらに別の概略図である。図8bに示すように、第2のPRBインデックス{0,1,...,Q-1}は、共通ダウンリンクPRBインデックスである。インデックス0に対応するPRBは、周波数領域における第2のロケーション、および第2の帯域幅に基づいて決定され得、このことに基づいて、最大インデックスに対応するPRBは、第2の帯域幅に基づいて決定され得る。第2のロケーションは、第2の情報に基づいて決定され、第2の帯域幅は、最小端末帯域幅能力である。
【手続補正１４】
【補正対象書類名】明細書
【補正対象項目名】０２２２
【補正方法】変更
【補正の内容】
【０２２２】
図8aおよび図8bに示す第2のPRBインデックスにおけるPRBの番号付けが一例にすぎないことに留意されたい。確かに、第2のPRBインデックスにおけるPRBは別の方式で番号付けされてよく、たとえば、PRBは右から左に番号付けされるか、またはPRBは中央から右に番号付けされ、次いで、左から番号付けされる。第2のPRBインデックスにおけるPRBが別の方式で番号付けされるとき、第2のPRBインデックスを決定する方式は、図8aおよび図8bに示す決定方式と類似であり、詳細は本明細書で再び説明しない。
【手続補正１５】
【補正対象書類名】特許請求の範囲
【補正対象項目名】全文
【補正方法】変更
【補正の内容】
【特許請求の範囲】
【請求項１】
データ通信方法であって、
第1の物理リソースブロックインデックスに基づいて第1の復調基準信号を端末によって受信するステップであって、前記第1の物理リソースブロックインデックスが、周波数領域における第1のロケーションに基づいて決定され、前記第1の復調基準信号が、システム情報ブロックに対応する第1のデータチャネルを復調するために使用される、ステップと、
第2の物理リソースブロックインデックスに基づいて第2の復調基準信号を前記端末によって送りかつ/または受信するステップであって、前記第2の物理リソースブロックインデックスが、周波数領域における第2のロケーションに基づいて決定され、前記第2の復調基準信号が、第2のデータチャネルを復調するために使用される、ステップと
を備える方法。
【請求項２】
前記第2のデータチャネルが、前記第1のデータチャネル以外のデータチャネルである、請求項1に記載の方法。
【請求項３】
前記第2のデータチャネルが、端末固有データチャネルまたは共通ダウンリンクデータチャネルを備える、請求項1または2に記載の方法。
【請求項４】
前記第1のロケーションを構成するための第1の情報が、マスタ情報ブロックを使用することによって示され、前記第2のロケーションを構成するための第2の情報が、前記システム情報または無線リソース制御シグナリングを使用することによって示される、請求項1から3のいずれか一項に記載の方法。
【請求項５】
前記第1のロケーションが、前記システム情報ブロックがその上に配置されるサブバンドの最低物理リソースブロックのサブキャリア0である、請求項1から4のいずれか一項に記載の方法。
【請求項６】
前記システム情報ブロックを受信した後、前記第2の物理リソースブロックインデックスに基づいて前記第2の復調基準信号を前記端末によって送りかつ/または受信するステップ
請求項1から5のいずれか一項に記載の方法。
【請求項７】
データ通信方法であって、
第1の物理リソースブロックインデックスに基づいて第1の復調基準信号を端末によって受信するステップであって、前記第1の物理リソースブロックインデックスが、周波数領域における第1のロケーションに基づいて決定され、前記第1の復調基準信号が、システム情報ブロックに対応するデータチャネルをスケジュールするための第1のダウンリンク制御チャネルを復調するために使用される、ステップと、
第2の物理リソースブロックインデックスに基づいて第2の復調基準信号を前記端末によって受信するステップであって、前記第2の物理リソースブロックインデックスが、周波数領域における第2のロケーションに基づいて決定され、前記第2の復調基準信号が、第2のダウンリンク制御チャネルを復調するために使用される、ステップと
を備える方法。
【請求項８】
前記第2のダウンリンク制御チャネルが、前記第1のダウンリンク制御チャネル以外のダウンリンク制御チャネルである、請求項7に記載の方法。
【請求項９】
前記第2のダウンリンク制御チャネルが、共通ダウンリンク制御チャネルまたは端末固有制御チャネルを備える、請求項7または8に記載の方法。
【請求項１０】
前記第1のロケーションを構成するための第1の情報が、マスタ情報ブロックを使用することによって示され、前記第2のロケーションを構成するための第2の情報が、システム情報または無線リソース制御シグナリングを使用することによって示される、請求項7から9のいずれか一項に記載の方法。
【請求項１１】
基地局への接続を確立した後、前記第2の物理リソースブロックインデックスに基づいて前記第2の復調基準信号を前記端末によって受信するステップ請求項7から10のいずれか一項に記載の方法。
【請求項１２】
前記第1のロケーションが、前記システム情報ブロックがその上に配置されるサブバンドの最低物理リソースブロックのサブキャリア0である、請求項7から11のいずれか一項に記載の方法。
【請求項１３】
装置であって、
第1の物理リソースブロックインデックスに基づいて第1の復調基準信号を受信するための手段であって、前記第1の物理リソースブロックインデックスが、周波数領域における第1のロケーションに基づいて決定され、前記第1の復調基準信号が、システム情報ブロックに対応する第1のデータチャネルを復調するために使用される、手段と、
第2の物理リソースブロックインデックスに基づいて第2の復調基準信号を送りかつ/または受信するための手段であって、前記第2の物理リソースブロックインデックスが、周波数領域における第2のロケーションに基づいて決定され、前記第2の復調基準信号が、第2のデータチャネルを復調するために使用される、手段と
を備える装置。
【請求項１４】
前記第2のデータチャネルが、前記第1のデータチャネル以外のデータチャネルである、請求項13に記載の装置。
【請求項１５】
前記第2のデータチャネルが、端末固有データチャネルまたは共通ダウンリンクデータチャネルを備える、請求項13または14に記載の装置。
【請求項１６】
前記第1のロケーションを構成するための第1の情報が、マスタ情報ブロックを使用することによって示され、前記第2のロケーションを構成するための第2の情報が、前記システム情報または無線リソース制御シグナリングを使用することによって示される、請求項13から15のいずれか一項に記載の装置。
【請求項１７】
前記第1のロケーションが、前記システム情報ブロックがその上に配置されるサブバンドの最低物理リソースブロックのサブキャリア0である、請求項13から16のいずれか一項に記載の装置。
【請求項１８】
前記システム情報ブロックを受信した後、前記第2の物理リソースブロックインデックスに基づいて前記第2の復調基準信号を送りかつ/または受信すること請求項13から17のいずれか一項に記載の装置。
【請求項１９】
装置であって、
第1の物理リソースブロックインデックスに基づいて第1の復調基準信号を受信するための手段であって、前記第1の物理リソースブロックインデックスが、周波数領域における第1のロケーションに基づいて決定され、前記第1の復調基準信号が、システム情報ブロックに対応するデータチャネルをスケジュールするための第1のダウンリンク制御チャネルを復調するために使用される、手段と、
第2の物理リソースブロックインデックスに基づいて第2の復調基準信号を受信するための手段であって、前記第2の物理リソースブロックインデックスが、周波数領域における第2のロケーションに基づいて決定され、前記第2の復調基準信号が、第2のダウンリンク制御チャネルを復調するために使用される、手段と
を備える装置。
【請求項２０】
前記第2のダウンリンク制御チャネルが、前記第1のダウンリンク制御チャネル以外のダウンリンク制御チャネルである、請求項19に記載の装置。
【請求項２１】
前記第2のダウンリンク制御チャネルが、共通ダウンリンク制御チャネルまたは端末固有制御チャネルを備える、請求項19または20に記載の装置。
【請求項２２】
前記第1のロケーションを構成するための第1の情報が、マスタ情報ブロックを使用することによって示され、前記第2のロケーションを構成するための第2の情報が、システム情報または無線リソース制御シグナリングを使用することによって示される、請求項19から21のいずれか一項に記載の装置。
【請求項２３】
基地局への接続を確立した後、前記第2の物理リソースブロックインデックスに基づいて前記第2の復調基準信号を受信すること請求項19から22のいずれか一項に記載の装置。
【請求項２４】
前記第1のロケーションが、前記システム情報ブロックがその上に配置されるサブバンドの最低物理リソースブロックのサブキャリア0である、請求項19から23のいずれか一項に記載の装置。
【請求項２５】
請求項13から24のいずれか一項に記載の装置を備える端末。
【請求項２６】
プロセッサおよびメモリを備える装置であって、
前記メモリが、プログラムを記憶するように構成され、
前記プロセッサが、請求項1から12のいずれか一項に記載の方法を実行するために、前記メモリの中に記憶された前記プログラムを実行するように構成される、
装置。
【請求項２７】
コンピュータ可読記憶媒体であって、前記コンピュータ可読記憶媒体がプログラムを記憶し、前記プログラムがコンピュータ上で実行するとき、前記コンピュータが、請求項1から12のいずれか一項に記載の方法を実行する、コンピュータ可読記憶媒体。
【国際調査報告】
2019535186.tif 000062
2019535186.tif 000063
2019535186.tif 000064
2019535186.tif 000065
2019535186.tif 000066
2019535186.tif 000067